(57)【要約】【課題】Ｆ値が小さく、かつ高性能化が実現可能な撮像レンズ、およびこの撮像レンズを備えた撮像装置を提供する。【解決手段】撮像レンズ１は、物体側から順に、負の第１レンズＬ１、正の第２レンズＬ２、正の第３レンズＬ３、負の第４レンズＬ４、正の第５レンズＬ５、正の第６レンズＬ６および負の第７レンズＬ７から実質的に構成される。ｆを全系の焦点距離、Ｄ４を第２レンズと第３レンズとの空気間隔、ｆ３４５を第３レンズ、第４レンズおよび第５レンズの合成焦点距離、ｆ１，ｆ２を第１および第２レンズの焦点距離としたとき、下記の条件式を満足する。    Ｄ４／ｆ＜０．３９  …（４）    １．８＜ｆ３４５／ｆ    …  （６）    ｆ１／ｆ２＜−０．４２    …  （７）【選択図】図１
2016062021.tif 000002
【特許請求の範囲】
【請求項１】
物体側から順に、負のパワーを持つ第１レンズ、正のパワーを持つ第２レンズ、正のパワーを持つ第３レンズ、負のパワーを持つ第４レンズ、正のパワーを持つ第５レンズ、正のパワーを持つ第６レンズ、および負のパワーを持つ第７レンズから実質的に構成され、
下記条件式を満足することを特徴とする撮像レンズ。
Ｄ４／ｆ＜０．３９  …（４）
１．８＜ｆ３４５／ｆ    …  （６）
ｆ１／ｆ２＜−０．４２    …  （７）
ただし、
ｆ：全系の焦点距離
Ｄ４：前記第２レンズと前記第３レンズとの空気間隔
ｆ３４５：前記第３レンズ、前記第４レンズおよび前記第５レンズの合成焦点距離
ｆ１：前記第１レンズの焦点距離
ｆ２：前記第２レンズの焦点距離
【請求項２】
物体側から順に、負のパワーを持つ第１レンズ、正のパワーを持つ第２レンズ、正のパワーを持つ第３レンズ、負のパワーを持つ第４レンズ、正のパワーを持つ第５レンズ、正のパワーを持つ第６レンズ、および負のパワーを持つ第７レンズから実質的に構成され、
下記条件式を満足することを特徴とする撮像レンズ。
１．８＜ｆ３４５／ｆ    …  （６）
−２．２＜（Ｒ１４＋Ｒ１５）／（Ｒ１４−Ｒ１５）＜−０．０１    …  （８）
ただし、
ｆ：全系の焦点距離
ｆ３４５：前記第３レンズ、前記第４レンズおよび前記第５レンズの合成焦点距離
Ｒ１４：前記第７レンズの物体側の面の曲率半径
Ｒ１５：前記第７レンズの像側の面の曲率半径
【請求項３】
物体側から順に、負のパワーを持つ第１レンズ、正のパワーを持つ第２レンズ、正のパワーを持つ第３レンズ、負のパワーを持つ第４レンズ、正のパワーを持つ第５レンズ、正のパワーを持つ第６レンズ、および負のパワーを持つ第７レンズから実質的に構成され、
下記条件式を満足することを特徴とする撮像レンズ。
Ｄ４／ｆ＜０．３９  …（４）
１．８＜ｆ３４５／ｆ    …  （６）
−０．８＜（Ｒ５＋Ｒ６）／（Ｒ５−Ｒ６）  …  （９）
ただし、
ｆ：全系の焦点距離
Ｄ４：前記第２レンズと前記第３レンズとの空気間隔
ｆ３４５：前記第３レンズ、前記第４レンズおよび前記第５レンズの合成焦点距離
Ｒ５：前記第３レンズの物体側の面の曲率半径
Ｒ６：前記第３レンズの像側の面の曲率半径
【請求項４】
さらに下記条件式を満足する請求項１から３のいずれか１項記載の撮像レンズ。
４０＜νｄ３  …  （３）
ただし、
νｄ３：前記第３レンズの材質のｄ線に対するアッベ数
【請求項５】
さらに下記条件式を満足する請求項１から４のいずれか１項記載の撮像レンズ。
２５＜νｄ５  …  （１３）
ただし、
νｄ５：前記第５レンズの材質のｄ線に対するアッベ数
【請求項６】
さらに下記条件式を満足する請求項１から５のいずれか１項記載の撮像レンズ。
０．５＜ｆ３／ｆ＜１０  …  （１４）
ただし、
ｆ３：前記第３レンズの焦点距離
ｆ：全系の焦点距離
【請求項７】
さらに下記条件式を満足する請求項１から６のいずれか１項記載の撮像レンズ。
０．５＜ｆ２／ｆ＜７  …  （１５）
ただし、
ｆ２：前記第２レンズの焦点距離
ｆ：全系の焦点距離
【請求項８】
さらに下記条件式を満足する請求項１から７のいずれか１項記載の撮像レンズ。
ｆ１／ｆ＜−０．２５  …  （１６）
ただし、
ｆ１：前記第１レンズの焦点距離
ｆ：全系の焦点距離
【請求項９】
さらに下記条件式を満足する請求項１から８のいずれか１項記載の撮像レンズ。
０．３＜ｆ１２３／ｆ＜１５  …  （１７）
ただし、
ｆ１２３：前記第１レンズ、前記第２レンズおよび前記第３レンズの合成焦点距離
ｆ：全系の焦点距離
【請求項１０】
さらに下記条件式を満足する請求項１から９のいずれか１項記載の撮像レンズ。
０．５＜ｆ２３４／ｆ＜１８  …  （１８）
ただし、
ｆ２３４：前記第２レンズ、前記第３レンズおよび前記第４レンズの合成焦点距離
ｆ：全系の焦点距離
【請求項１１】
さらに下記条件式を満足する請求項１から１０のいずれか１項記載の撮像レンズ。
０．５＜ｆ１２３４５／ｆ＜１０  …  （１９）
ただし、
ｆ１２３４５：前記第１レンズ、前記第２レンズ、前記第３レンズ、前記第４レンズおよび前記第５レンズの合成焦点距離
ｆ：全系の焦点距離
【請求項１２】
さらに下記条件式を満足する請求項１から１１のいずれか１項記載の撮像レンズ。
０．４＜ｆ２３４５／ｆ＜１０  …  （２０）
ただし、
ｆ２３４５：前記第２レンズ、前記第３レンズ、前記第４レンズおよび前記第５レンズの合成焦点距離
ｆ：全系の焦点距離
【請求項１３】
さらに下記条件式を満足する請求項１から１２のいずれか１項記載の撮像レンズ。
０．１＜ｆ３４５６／ｆ＜５．０  …  （２１）
ただし、
ｆ３４５６：前記第３レンズ、前記第４レンズ、前記第５レンズおよび前記第６レンズの合成焦点距離
ｆ：全系の焦点距離
【請求項１４】
さらに下記条件式を満足する請求項１から１３のいずれか１項記載の撮像レンズ。
−４．０＜（Ｒ８＋Ｒ９）／（Ｒ８−Ｒ９）＜４．０  …  （２２）
ただし、
Ｒ８：前記第４レンズの物体側の面の曲率半径
Ｒ９：前記第４レンズの像側の面の曲率半径
【請求項１５】
さらに下記条件式を満足する請求項１から１４のいずれか１項記載の撮像レンズ。
−３＜ｆ／ｆ４５＜３  …  （２３）
ただし、
ｆ４５：前記第４レンズおよび前記第５レンズの合成焦点距離
ｆ：全系の焦点距離
【請求項１６】
請求項１から１５のいずれか１項記載の撮像レンズを備えた撮像装置。
【発明の詳細な説明】
【技術分野】
【０００１】
本発明は、撮像レンズおよび撮像装置に関し、より詳しくは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を用いた、主に自動車の前方、側方、後方等の映像を撮影するための車載用カメラ、携帯端末用カメラおよび監視カメラ等に使用されるのに好適な撮像レンズ、およびこの撮像レンズを備えた撮像装置に関するものである。
【背景技術】
【０００２】
ＣＣＤやＣＭＯＳ等の撮像素子は近年非常に小型化および高画素化が進んでいる。それとともに、これら撮像素子を備えた撮像機器本体も小型化が進み、それに搭載される撮像レンズにも良好な光学性能に加え、小型化および軽量化が求められている。
【０００３】
一方、車載用カメラ、携帯端末用カメラおよび監視カメラ等では、高い耐候性を持ちながら寒冷地の外気から熱帯地方の夏の車内まで広い温度範囲で使用可能であり、小型で高性能のレンズが求められている。特に車の車内に配置され、前方を監視するカメラでは、夜間でも使用可能なようにＦ値が小さく、可視域から赤外域までの広い波長帯で使用可能なことが求められている。また、車載用カメラとして用いられる場合、車の外観上の点から露出するレンズ部が小さいことも求められている。
【０００４】
下記特許文献１には、車載用カメラに搭載される撮像レンズとして、物体側から順に、負、正、正、負、正、正のレンズ配置からなる６枚構成の撮像レンズが提案されている。
【先行技術文献】
【特許文献】
【０００５】
【特許文献１】特開２０１０−０９１６９７号公報
【発明の概要】
【発明が解決しようとする課題】
【０００６】
ところで、車載用カメラおよび監視カメラ等に搭載される撮像レンズに対する要求は年々厳しくなっており、特許文献１に記載の撮像レンズに対して、Ｆ値をより小さくし、さらなる高性能化を図ることが望まれている。
【０００７】
本発明は上記事情に鑑み、Ｆ値が小さく、かつ高性能化が実現可能な撮像レンズ、およびこの撮像レンズを備えた撮像装置を提供することを目的とするものである。
【課題を解決するための手段】
【０００８】
本発明の第１の撮像レンズは、物体側から順に、負のパワーを持つ第１レンズ、正のパワーを持つ第２レンズ、正のパワーを持つ第３レンズ、負のパワーを持つ第４レンズ、正のパワーを持つ第５レンズ、正のパワーを持つ第６レンズ、および負のパワーを持つ第７レンズから実質的に構成され、
下記条件式を満足することを特徴とするものである。
【０００９】
Ｄ４／ｆ＜０．３９  …（４）
１．８＜ｆ３４５／ｆ    …  （６）
ｆ１／ｆ２＜−０．４２    …  （７）
ただし、
ｆ：全系の焦点距離
Ｄ４：第２レンズと第３レンズとの空気間隔
ｆ３４５：第３レンズ、第４レンズおよび第５レンズの合成焦点距離
ｆ１：第１レンズの焦点距離
ｆ２：第２レンズの焦点距離
本発明の第２の撮像レンズは、物体側から順に、負のパワーを持つ第１レンズ、正のパワーを持つ第２レンズ、正のパワーを持つ第３レンズ、負のパワーを持つ第４レンズ、正のパワーを持つ第５レンズ、正のパワーを持つ第６レンズ、および負のパワーを持つ第７レンズから実質的に構成され、
下記条件式を満足することを特徴とするものである。
【００１０】
１．８＜ｆ３４５／ｆ    …  （６）
−２．２＜（Ｒ１４＋Ｒ１５）／（Ｒ１４−Ｒ１５）＜−０．０１    …  （８）
ただし、
ｆ：全系の焦点距離
ｆ３４５：第３レンズ、第４レンズおよび第５レンズの合成焦点距離
Ｒ１４：第７レンズの物体側の面の曲率半径
Ｒ１５：第７レンズの像側の面の曲率半径
本発明の第３の撮像レンズは、物体側から順に、負のパワーを持つ第１レンズ、正のパワーを持つ第２レンズ、正のパワーを持つ第３レンズ、負のパワーを持つ第４レンズ、正のパワーを持つ第５レンズ、正のパワーを持つ第６レンズ、および負のパワーを持つ第７レンズから実質的に構成され、
下記条件式を満足することを特徴とするものである。
【００１１】
Ｄ４／ｆ＜０．３９  …（４）
１．８＜ｆ３４５／ｆ    …  （６）
−０．８＜（Ｒ５＋Ｒ６）／（Ｒ５−Ｒ６）  …  （９）
ただし、
ｆ：全系の焦点距離
Ｄ４：第２レンズと第３レンズとの空気間隔
ｆ３４５：第３レンズ、第４レンズおよび第５レンズの合成焦点距離
Ｒ５：第３レンズの物体側の面の曲率半径
Ｒ６：第３レンズの像側の面の曲率半径
なお、上記の「〜から実質的に構成され」の「実質的に」は、構成要素として挙げたもの以外に、実質的にパワーを持たないレンズ、絞りおよびカバーガラス等のレンズ以外の光学要素、並びにレンズフランジ、レンズバレルおよび手ぶれ補正機構等の機構部分等が含まれていてもよいことを意図するものである。
【００１２】
また、本発明においては、凸面、凹面、平面、両凹、メニスカス、両凸、平凸および平凹等といったレンズの面形状、正および負といったレンズの屈折力の符号は、非球面が含まれているものについては特に断りのない限り近軸領域で考えるものとする。また、本発明においては、曲率半径の符号は、面形状が物体側に凸面を向けた場合を正、像側に凸面を向けた場合を負とすることにする。「レンズ面の中心が正のパワーを持つ」とは、レンズ面の近軸曲率が、レンズ面が凸面を形成するような値となっていることを意味し、「レンズ面の中心が負のパワーを持つ」とは、レンズ面の近軸曲率が、レンズ面が凹面を形成するような値となっていることを意味する。
【００１３】
上記本発明の第１から第３の撮像レンズにおいては、下記条件式（３）、（１３）〜（２３）を満足することが好ましい。なお、好ましい態様としては、下記条件式（３）、（１３）〜（２３）のいずれか１つの構成を有するものでもよく、あるいは任意の２つ以上を組み合わせた構成を有するものでもよい。
【００１４】
４０＜νｄ３  …  （３）
２５＜νｄ５  …  （１３）
０．５＜ｆ３／ｆ＜１０  …  （１４）
０．５＜ｆ２／ｆ＜７  …  （１５）
ｆ１／ｆ＜−０．２５  …  （１６）
０．３＜ｆ１２３／ｆ＜１５  …  （１７）
０．５＜ｆ２３４／ｆ＜１８  …  （１８）
０．５＜ｆ１２３４５／ｆ＜１０  …  （１９）
０．４＜ｆ２３４５／ｆ＜１０  …  （２０）
０．１＜ｆ３４５６／ｆ＜５．０  …  （２１）
−４．０＜（Ｒ８＋Ｒ９）／（Ｒ８−Ｒ９）＜４．０    …  （２２）
−３＜ｆ／ｆ４５＜３  …  （２３）
ただし、
ｆ：全系の焦点距離
ｆ１：第１レンズの焦点距離
ｆ２：第２レンズの焦点距離
ｆ３：第３レンズの焦点距離
ｆ４５：第４レンズと第５レンズとの合成焦点距離
ｆ１２３：第１レンズ、第２レンズおよび第３レンズの合成焦点距離
ｆ２３４：第２レンズ、第３レンズおよび第４レンズの合成焦点距離
ｆ２３４５：第２レンズ、第３レンズ、第４レンズおよび第５レンズの合成焦点距離
ｆ３４５６：第３レンズ、第４レンズ、第５レンズおよび第６レンズの合成焦点距離
ｆ１２３４５：第１レンズ、第２レンズ、第３レンズ、第４レンズおよび第５レンズの合成焦点距離
νｄ３：第３レンズの材質のｄ線に対するアッベ数
νｄ５：第５レンズの材質のｄ線に対するアッベ数
Ｒ８：第４レンズの物体側の面の曲率半径
Ｒ９：第４レンズの像側の面の曲率半径
本発明の撮像装置は、上記記載の本発明の第１から第３の撮像レンズの少なくともいずれか１つを備えたことを特徴とするものである。
【発明の効果】
【００１５】
本発明の第１の撮像レンズによれば、７枚のレンズ系において、全系におけるパワー配置等を好適に設定し、条件式（４）、（６）および（７）を満足するようにしているため、小型でＦ値が小さく、良好な光学性能を得ることが可能な撮像レンズを実現できる。
【００１６】
本発明の第２の撮像レンズによれば、７枚のレンズ系において、全系におけるパワー配置等を好適に設定し、条件式（６）および（８）を満足するようにしているため、小型でＦ値が小さく、良好な光学性能を得ることが可能な撮像レンズを実現できる。
【００１７】
本発明の第３の撮像レンズによれば、７枚のレンズ系において、全系におけるパワー配置等を好適に設定し、条件式（４）、（６）および（９）を満足するようにしているため、小型でＦ値が小さく、良好な光学性能を得ることが可能な撮像レンズを実現できる。
【００１８】
本発明による撮像装置は、本発明の撮像レンズを備えているため、小型に構成でき、低照度の条件下でも良好に撮像可能であり、諸収差が補正された、解像度の高い良好な像を得ることができる。
【図面の簡単な説明】
【００１９】
【図１】本発明の一実施形態に係る撮像レンズの構成と光路を示す図
【図２】第２レンズの面形状等を説明するための図
【図３】本発明の実施例１の撮像レンズのレンズ構成を示す断面図
【図４】本発明の実施例２の撮像レンズのレンズ構成を示す断面図
【図５】本発明の実施例３の撮像レンズのレンズ構成を示す断面図
【図６】本発明の実施例４の撮像レンズのレンズ構成を示す断面図
【図７】本発明の実施例５の撮像レンズのレンズ構成を示す断面図
【図８】本発明の実施例６の撮像レンズのレンズ構成を示す断面図
【図９】本発明の実施例７の撮像レンズのレンズ構成を示す断面図
【図１０】本発明の実施例８の撮像レンズのレンズ構成を示す断面図
【図１１】本発明の実施例９の撮像レンズのレンズ構成を示す断面図
【図１２】本発明の実施例１０の撮像レンズのレンズ構成を示す断面図
【図１３】本発明の実施例１１の撮像レンズのレンズ構成を示す断面図
【図１４】本発明の実施例１２の撮像レンズのレンズ構成を示す断面図
【図１５】本発明の実施例１３の撮像レンズのレンズ構成を示す断面図
【図１６】本発明の実施例１４の撮像レンズのレンズ構成を示す断面図
【図１７】本発明の実施例１５の撮像レンズのレンズ構成を示す断面図
【図１８】本発明の実施例１６の撮像レンズのレンズ構成を示す断面図
【図１９】本発明の実施例１７の撮像レンズのレンズ構成を示す断面図
【図２０】本発明の実施例１８の撮像レンズのレンズ構成を示す断面図
【図２１】本発明の実施例１９の撮像レンズのレンズ構成を示す断面図
【図２２】本発明の実施例２０の撮像レンズのレンズ構成を示す断面図
【図２３】本発明の実施例２１の撮像レンズのレンズ構成を示す断面図
【図２４】本発明の実施例２２の撮像レンズのレンズ構成を示す断面図
【図２５】本発明の実施例２３の撮像レンズのレンズ構成を示す断面図
【図２６】本発明の実施例２４の撮像レンズのレンズ構成を示す断面図
【図２７】本発明の実施例２５の撮像レンズのレンズ構成を示す断面図
【図２８】本発明の実施例２６の撮像レンズのレンズ構成を示す断面図
【図２９】本発明の実施例１の撮像レンズの球面収差、非点収差、ディストーション（歪曲収差）および倍率色収差の収差図
【図３０】本発明の実施例２の撮像レンズの球面収差、非点収差、ディストーション（歪曲収差）および倍率色収差の収差図
【図３１】本発明の実施例３の撮像レンズの球面収差、非点収差、ディストーション（歪曲収差）および倍率色収差の収差図
【図３２】本発明の実施例４の撮像レンズの球面収差、非点収差、ディストーション（歪曲収差）および倍率色収差の収差図
【図３３】本発明の実施例５の撮像レンズの球面収差、非点収差、ディストーション（歪曲収差）および倍率色収差の収差図
【図３４】本発明の実施例６の撮像レンズの球面収差、非点収差、ディストーション（歪曲収差）および倍率色収差の収差図
【図３５】本発明の実施例７の撮像レンズの球面収差、非点収差、ディストーション（歪曲収差）および倍率色収差の収差図
【図３６】本発明の実施例８の撮像レンズの球面収差、非点収差、ディストーション（歪曲収差）および倍率色収差の収差図
【図３７】本発明の実施例９の撮像レンズの球面収差、非点収差、ディストーション（歪曲収差）および倍率色収差の収差図
【図３８】本発明の実施例１０の撮像レンズの球面収差、非点収差、ディストーション（歪曲収差）および倍率色収差の収差図
【図３９】本発明の実施例１１の撮像レンズの球面収差、非点収差、ディストーション（歪曲収差）および倍率色収差の収差図
【図４０】本発明の実施例１２の撮像レンズの球面収差、非点収差、ディストーション（歪曲収差）および倍率色収差の収差図
【図４１】本発明の実施例１３の撮像レンズの球面収差、非点収差、ディストーション（歪曲収差）および倍率色収差の収差図
【図４２】本発明の実施例１４の撮像レンズの球面収差、非点収差、ディストーション（歪曲収差）および倍率色収差の収差図
【図４３】本発明の実施例１５の撮像レンズの球面収差、非点収差、ディストーション（歪曲収差）および倍率色収差の収差図
【図４４】本発明の実施例１６の撮像レンズの球面収差、非点収差、ディストーション（歪曲収差）および倍率色収差の収差図
【図４５】本発明の実施例１７の撮像レンズの球面収差、非点収差、ディストーション（歪曲収差）および倍率色収差の収差図
【図４６】本発明の実施例１８の撮像レンズの球面収差、非点収差、ディストーション（歪曲収差）および倍率色収差の収差図
【図４７】本発明の実施例１９の撮像レンズの球面収差、非点収差、ディストーション（歪曲収差）および倍率色収差の収差図
【図４８】本発明の実施例２０の撮像レンズの球面収差、非点収差、ディストーション（歪曲収差）および倍率色収差の収差図
【図４９】本発明の実施例２１の撮像レンズの球面収差、非点収差、ディストーション（歪曲収差）および倍率色収差の収差図
【図５０】本発明の実施例２２の撮像レンズの球面収差、非点収差、ディストーション（歪曲収差）および倍率色収差の収差図
【図５１】本発明の実施例２３の撮像レンズの球面収差、非点収差、ディストーション（歪曲収差）および倍率色収差の収差図
【図５２】本発明の実施例２４の撮像レンズの球面収差、非点収差、ディストーション（歪曲収差）および倍率色収差の収差図
【図５３】本発明の実施例２５の撮像レンズの球面収差、非点収差、ディストーション（歪曲収差）および倍率色収差の収差図
【図５４】本発明の実施例２６の撮像レンズの球面収差、非点収差、ディストーション（歪曲収差）および倍率色収差の収差図
【図５５】本発明の実施形態に係る車載用の撮像装置の配置を説明するための図
【発明を実施するための形態】
【００２０】
以下、本発明の実施形態について図面を参照して詳細に説明する。
[撮像レンズの実施形態]
まず、図１を参照しながら、本発明の実施形態に係る撮像レンズについて説明する。図１は、本発明の実施形態に係る撮像レンズ１の構成と光路を示す図である。なお、図１に示す撮像レンズ１は後述する本発明の実施例１に係る撮像レンズに対応するものである。
【００２１】
図１では、図の左側が物体側、右側が像側であり、無限遠の距離にある物点からの軸上光束２、全画角２ωでの軸外光束３、４も併せて示してある。図１では、撮像レンズ１が撮像装置に適用される場合を考慮して、撮像レンズ１の像点Ｐｉｍを含む像面Ｓｉｍに配置された撮像素子５も図示している。撮像素子５は、撮像レンズ１により形成される光学像を電気信号に変換するものであり、例えばＣＣＤイメージセンサやＣＭＯＳイメージセンサ等を用いることができる。
【００２２】
なお、撮像レンズ１を撮像装置に適用する際には、レンズを装着するカメラ側の構成に応じて、カバーガラス、ローパスフィルタまたは赤外線カットフィルタ等を設けることが好ましく、図１では、これらを想定した平行平板状の光学部材ＰＰを最も像側のレンズと撮像素子５（像面Ｓｉｍ）との間に配置した例を示している。
【００２３】
まず、本発明の第１の実施形態の構成について説明する。本発明の第１の実施形態に係る撮像レンズは、物体側から順に、負のパワーを持つ第１レンズＬ１、正のパワーを持つ第２レンズＬ２、正のパワーを持つ第３レンズＬ３、負のパワーを持つ第４レンズＬ４、正のパワーを持つ第５レンズＬ５、正のパワーを持つ第６レンズＬ６、および負のパワーを持つ第７レンズＬ７から実質的に構成される。図１に示す例では、第３レンズＬ３と第４レンズＬ４との間に開口絞りＳｔが配置されている。なお、図１における開口絞りＳｔは、形状や大きさを表すものではなく、光軸Ｚ上の位置を示すものである。
【００２４】
また、第１の実施形態の撮像レンズは、下記条件式（４）、（６）および（７）を満足するように構成されている。
【００２５】
Ｄ４／ｆ＜０．３９  …（４）
１．８＜ｆ３４５／ｆ    …  （６）
ｆ１／ｆ２＜−０．４２    …  （７）
ただし、
ｆ：全系の焦点距離
Ｄ４：第２レンズＬ２と第３レンズＬ３との空気間隔
ｆ３４５：第３レンズＬ３、第４レンズＬ４および第５レンズＬ５の合成焦点距離
ｆ１：第１レンズＬ１の焦点距離
ｆ２：第２レンズＬ２の焦点距離
次に、本発明の第２の実施形態の構成について説明する。本発明の第２の実施形態に係る撮像レンズは、第１の実施形態に係る撮像レンズと同様に、物体側から順に、負のパワーを持つ第１レンズＬ１、正のパワーを持つ第２レンズＬ２、正のパワーを持つ第３レンズＬ３、負のパワーを持つ第４レンズＬ４、正のパワーを持つ第５レンズＬ５、正のパワーを持つ第６レンズＬ６、および負のパワーを持つ第７レンズＬ７から実質的に構成される。図１に示す例では、第３レンズＬ３と第４レンズＬ４との間に開口絞りＳｔが配置されている。
【００２６】
また、第２の実施形態の撮像レンズは、下記条件式（６）および（８）を満足するように構成されている。
【００２７】
１．８＜ｆ３４５／ｆ    …  （６）
−２．２＜（Ｒ１４＋Ｒ１５）／（Ｒ１４−Ｒ１５）＜−０．０１    …  （８）
ただし、
ｆ：全系の焦点距離
ｆ３４５：第３レンズＬ３、第４レンズＬ４および第５レンズＬ５の合成焦点距離
Ｒ１４：第７レンズＬ７の物体側の面の曲率半径
Ｒ１５：第７レンズＬ７の像側の面の曲率半径
次に、本発明の第３の実施形態の構成について説明する。本発明の第３の実施形態に係る撮像レンズは、第１の実施形態に係る撮像レンズと同様に、物体側から順に、負のパワーを持つ第１レンズＬ１、正のパワーを持つ第２レンズＬ２、正のパワーを持つ第３レンズＬ３、負のパワーを持つ第４レンズＬ４、正のパワーを持つ第５レンズＬ５、正のパワーを持つ第６レンズＬ６、および負のパワーを持つ第７レンズＬ７から実質的に構成される。図１に示す例では、第３レンズＬ３と第４レンズＬ４との間に開口絞りＳｔが配置されている。
【００２８】
また、第３の実施形態の撮像レンズは、下記条件式（４）、（６）および（９）を満足するように構成されている。
【００２９】
Ｄ４／ｆ＜０．３９  …（４）
１．８＜ｆ３４５／ｆ    …  （６）
−０．８＜（Ｒ５＋Ｒ６）／（Ｒ５−Ｒ６）  …  （９）
ただし、
ｆ：全系の焦点距離
Ｄ４：第２レンズＬ２と第３レンズＬ３との空気間隔
ｆ３４５：第３レンズＬ３、第４レンズＬ４および第５レンズＬ５の合成焦点距離
Ｒ５：第３レンズＬ３の物体側の面の曲率半径
Ｒ６：第３レンズＬ３の像側の面の曲率半径
第１から第３の実施形態の撮像レンズは、物体側から順に、負のパワーを持つ第１レンズＬ１、正のパワーを持つ第２レンズＬ２、正のパワーを持つ第３レンズＬ３、負のパワーを持つ第４レンズＬ４、正のパワーを持つ第５レンズＬ５、正のパワーを持つ第６レンズＬ６、および負のパワーを持つ第７レンズＬ７を配置することにより、各種収差が補正された良好な解像性能のレンズを作製することが容易となる。
【００３０】
また、最も物体側のレンズである第１レンズＬ１を負のパワーを持つレンズとすることにより、レンズ系を広角化でき、かつバックフォーカスの確保が容易となり、レンズ系の径方向の小型化も容易となる。
【００３１】
また、第２レンズＬ２および第３レンズＬ３を正のパワー、第５レンズＬ５および第６レンズＬ６を正のパワーを持つレンズとすることにより、レンズ系のうち、正のパワーを構成する部分を２枚の正レンズで構成することができ、球面収差および非点収差の補正が容易となる。
【００３２】
第１の実施形態の撮像レンズは、条件式（４）の上限を満足することにより、第２レンズＬ２と第３レンズＬ３との空気間隔が広くなることを防止し、レンズ系の小型化が容易となる。
【００３３】
条件式（６）の下限を満足することにより、第３レンズＬ３から第５レンズＬ５の合成焦点距離が正の値で小さくなるのを防ぐことが容易となり、バックフォーカスの確保が容易となるか、非点収差の補正が容易となる。
【００３４】
条件式（７）上限を満足することにより、第１レンズＬ１の負のパワーを抑えること、すなわち第１レンズＬ１の焦点距離絶対値を大きくすることが容易となり、ディストーションの補正が容易となる。または、第２レンズＬ２の正のパワーが弱くなりすぎるのを抑える、すなわち第２レンズＬ２の焦点距離絶対値を短くすることが容易となり、球面収差および非点収差の補正が容易となる。
【００３５】
第２の実施形態の撮像レンズは、条件式（６）の下限を満足することにより、第３レンズＬ３から第５レンズＬ５の合成焦点距離が正の値で小さくなるのを防ぐことが容易となり、バックフォーカスの確保が容易となるか、非点収差の補正が容易となる。
【００３６】
条件式（８）の上限を満足することにより、第７レンズＬ７の物体側の面を凹面としながらも、物体側の面の曲率半径を像側の面の曲率半径より小さくすることが容易となり、非点収差の補正が容易となるか、倍率の色収差の補正が容易となる。
【００３７】
条件式（８）の下限を満足することにより、第７レンズＬ７が像側に凸面を向けたメニスカス形状を有するものでありながら、第７レンズＬ７の物体側の面と像側の面の曲率半径に差をつけて、第７レンズＬ７のパワーを強くすることが容易となり、コマの補正が容易となる。
【００３８】
第３の実施形態の撮像レンズは、条件式（４）の上限を満足することにより、第２レンズＬ２と第３レンズＬ３との空気間隔が広くなることを防止し、レンズ系の小型化が容易となる。
【００３９】
条件式（６）の下限を満足することにより、第３レンズＬ３から第５レンズＬ５の合成焦点距離が正の値で小さくなるのを防ぐことが容易となり、バックフォーカスの確保が容易となるか、非点収差の補正が容易となる。
【００４０】
条件式（９）の下限を満足することにより、第３レンズＬ３が両凸レンズでありながら、像側の面の曲率半径の絶対値が大きくなるのを抑えることが容易となり、コマ収差の補正が容易となる。
【００４１】
なお、第１の実施形態に係る撮像レンズは、第２の実施形態に係る撮像レンズまたは第３の実施形態に係る撮像レンズの構成を有していてもよく、第２および第３の実施形態に係る撮像レンズの構成を有していてもよい。また、第２の実施形態に係る撮像レンズは、第１の実施形態に係る撮像レンズまたは第３の実施形態に係る撮像レンズの構成を有していてもよく、第１および第３の実施形態に係る撮像レンズの構成を有していてもよい。また、第３の実施形態に係る撮像レンズは、第１の実施形態に係る撮像レンズまたは第２の実施形態に係る撮像レンズの構成を有していてもよく、第１および第２の実施形態に係る撮像レンズの構成を有していてもよい。
【００４２】
また、第１の実施形態に係る撮像レンズは、第２の実施形態に係る撮像レンズが有する構成のうちの一部を有していてもよく、第３の実施形態に係る撮像レンズが有する構成のうちの一部を有していてもよい。第２の実施形態に係る撮像レンズは、第１の実施形態に係る撮像レンズが有する構成のうちの一部を有していてもよく、第３の実施形態に係る撮像レンズが有する構成のうちの一部を有していてもよい。第３の実施形態に係る撮像レンズは、第１の実施形態に係る撮像レンズが有する構成のうちの一部を有していてもよく、第２の実施形態に係る撮像レンズが有する構成のうちの一部を有していてもよい。
【００４３】
次に、本発明の上記第１から第３の実施形態に係る撮像レンズが有することが好ましい構成を挙げて、その作用効果について説明する。なお、好ましい態様としては、以下のいずれか１つの構成を有するものでもよく、あるいは任意の２つ以上を組み合わせた構成を有するものでもよい。
【００４４】
ｆ１２／ｆ＜−３．２  …  （１）
νｄ７＜５５  …  （２）
４０＜νｄ３  …  （３）
−０．９３＜（Ｒ３＋Ｒ４）／（Ｒ３−Ｒ４）  …  （５）
１．２５＜ｆ５／ｆ  …  （１０）
０．５＜（Ｒ１０＋Ｒ１１）／（Ｒ１０−Ｒ１１）  …  （１１）
（Ｒ１２＋Ｒ１３）／（Ｒ１２−Ｒ１３）＜１．０  …  （１２）
２５＜νｄ５  …  （１３）
０．５＜ｆ３／ｆ＜１０  …  （１４）
０．５＜ｆ２／ｆ＜７  …  （１５）
ｆ１／ｆ＜−０．２５  …  （１６）
０．３＜ｆ１２３／ｆ＜１５  …  （１７）
０．５＜ｆ２３４／ｆ＜１８  …  （１８）
０．５＜ｆ１２３４５／ｆ＜１０  …  （１９）
０．４＜ｆ２３４５／ｆ＜１０  …  （２０）
０．１＜ｆ３４５６／ｆ＜５．０  …  （２１）
−４．０＜（Ｒ８＋Ｒ９）／（Ｒ８−Ｒ９）＜４．０    …  （２２）
−３＜ｆ／ｆ４５＜３  …  （２３）
ただし、
ｆ：全系の焦点距離
ｆ１：第１レンズＬ１の焦点距離
ｆ２：第２レンズＬ２の焦点距離
ｆ３：第３レンズＬ３の焦点距離
ｆ５：第５レンズＬ５の焦点距離
ｆ１２：第１レンズＬ１と第２レンズＬ２との合成焦点距離
ｆ４５：第４レンズＬ４と第５レンズＬ５との合成焦点距離
ｆ１２３：第１レンズＬ１、第２レンズＬ２および第３レンズＬ３の合成焦点距離
ｆ２３４：第２レンズＬ２、第３レンズＬ３および第４レンズの合成焦点距離
ｆ２３４５：第２レンズＬ２、第３レンズＬ３、第４レンズＬ４および第５レンズＬ５の合成焦点距離
ｆ３４５６：第３レンズＬ３、第４レンズＬ４、第５レンズＬ５および第６レンズＬ６の合成焦点距離
ｆ１２３４５：第１レンズＬ１、第２レンズＬ２、第３レンズＬ３、第４レンズＬ４および第５レンズＬ５の合成焦点距離
νｄ３：第３レンズＬ３の材質のｄ線に対するアッベ数
νｄ５：第５レンズＬ５の材質のｄ線に対するアッベ数
νｄ７：第７レンズＬ７の材質のｄ線に対するアッベ数
Ｒ３：第２レンズＬ２の物体側の面の曲率半径
Ｒ４：第２レンズＬ２の像側の面の曲率半径
Ｒ８：第４レンズＬ４の物体側の面の曲率半径
Ｒ９：第４レンズＬ４の像側の面の曲率半径
Ｒ１０：第５レンズＬ５の物体側の面の曲率半径
Ｒ１１：第５レンズＬ５の像側の面の曲率半径
Ｒ１２：第６レンズＬ６の物体側の面の曲率半径
Ｒ１３：第６レンズＬ６の像側の面の曲率半径
条件式（１）の上限を満足することにより、第１レンズＬ１と第２レンズＬ２との合成の焦点距離が正の値となって絶対値が小さくなることを抑えることができる。これにより、第１レンズＬ１の負のパワーが強くなるのを抑えるか、第２レンズＬ２の正のパワーを強くすることが容易となり、その結果、非点収差を抑えることが容易となる。
【００４５】
条件式（２）の上限を満足することにより、倍率の色収差の補正が容易となり、良好な解像性能を得ることが容易となる。
【００４６】
条件式（３）の下限を満足することにより、軸上の色収差の補正が容易となり、良好な解像性能を得ることが容易となる。
【００４７】
条件式（５）の下限を満足することにより、第２レンズＬ２の像側の面を凸面とすることができ、球面収差およびディストーションの補正が容易となる。
【００４８】
条件式（１０）の下限を満足することにより、第５レンズＬ５の正のパワーが強くなりすぎるのを抑えることが容易となり、バックフォーカスの確保が容易となるか、第５レンズＬ５の偏心に対する誤差感度を抑えることが容易となる。
【００４９】
条件式（１１）の下限を満足することにより、第５レンズＬ５の物体側の面を凸面としながらも、物体側の面の曲率半径の絶対値が小さくなるのを抑えることが容易となるか、第５レンズＬ５の物体側の面を凹面とすることが容易となり、球面収差およびコマ収差の補正が容易となる。
【００５０】
条件式（１２）の上限を満足することにより、第６レンズＬ６を両凸レンズとすることが容易となり、球面収差の補正が容易となる。
【００５１】
条件式（１３）の下限を満足することにより、軸上の色収差の補正が容易となる。
【００５２】
条件式（１４）の上限を満足することにより、第３レンズＬ３のパワーを強くすることが容易となり、非点収差および球面収差の補正が容易となる。
【００５３】
条件式（１４）の下限を満足することにより、第３レンズＬ３のパワーを抑えることが容易となり、第３レンズＬ３の偏心に対する誤差感度を抑えることが容易となる。
【００５４】
条件式（１５）の上限を満足することにより、第２レンズＬ２のパワーを強くすることが容易となり、非点収差、球面収差およびディストーションの補正が容易となる。
【００５５】
条件式（１５）の下限を満足することにより、第２レンズＬ２のパワーを抑えることが容易となり、第２レンズＬ２の偏心に対する誤差感度を抑えることが容易となる。
【００５６】
条件式（１６）の上限を満足することにより、第１レンズＬ１のパワーを抑えることが容易となり、非点収差の補正が容易となる。
【００５７】
条件式（１７）の上限を満足することにより、第１レンズＬ１から第３レンズＬ３の合成の焦点距離が正の値で大きくなるのを抑えることが容易となり、非点収差および球面収差を抑えることが容易となる。
【００５８】
条件式（１７）の下限を満足することにより、第１レンズＬ１から第３レンズＬ３の合成の焦点距離が正の値で小さくなるのを抑えることが容易となり、広角化が容易となる。
【００５９】
条件式（１８）の上限を満足することにより、第２レンズＬ２から第４レンズＬ４の合成焦点距離が正の値で大きくなるのを抑えることが容易となり、非点収差の補正が容易となる。
【００６０】
条件式（１８）の下限を満足することにより、第２レンズＬ２から第４レンズＬ４の合成焦点距離が正の値で小さくなるのを抑えることが容易となり、バックフォーカスの確保が容易となるか、球面収差の補正が容易となる。
【００６１】
条件式（１９）の上限を満足することにより、第１レンズＬ１から第５レンズＬ５の合成焦点距離が正の値で大きくなりすぎるのを抑えることが容易となり、レンズ系の小型化が容易となるか、球面収差の補正が容易となる。
【００６２】
条件式（１９）の下限を満足することにより、第１レンズＬ１から第５レンズＬ５の合成焦点距離が正の値で小さくなりすぎるのを抑えることが容易となり、バックフォーカスの確保が容易となる。
【００６３】
条件式（２０）の上限を満足することにより、第２レンズＬ２から第５レンズＬ５の合成焦点距離が正の値で大きくなりすぎるのを抑えることが容易となり、レンズ系の全長を短くすることが容易となるか、倍率の色収差を抑えることが容易となる。
【００６４】
条件式（２０）の下限を満足することにより、第２レンズＬ２から第５レンズＬ５の合成焦点距離が正の値で小さくなりすぎるのを抑えることが容易となり、軸上の色収差の補正が容易となるか、バックフォーカスを長くとることが容易となる。
【００６５】
条件式（２１）の上限を満足することにより、第３レンズＬ３から第６レンズＬ６の合成焦点距離が正の値で大きくなりすぎるのを抑えることが容易となり、球面収差、非点収差もしくは、倍率の色収差の補正が容易となる。
【００６６】
条件式（２１）の下限を満足することにより、第３レンズＬ３から第６レンズＬ６の合成焦点距離が正の値で小さくなりすぎるのを抑えることが容易となり、広角化が容易となるか、軸上の色収差の補正が容易となる。
【００６７】
条件式（２２）の上限を満足することにより、第４レンズＬ４が像側に凹面を向けたメニスカス形状でありながら、第４レンズＬ４の物体側の面と像側の面との曲率半径に差をつけて、第４レンズＬ４のパワーを強くすることが容易となり、軸上の色収差の補正が容易となるか、コマ収差および非点収差の補正が容易となる。
【００６８】
条件式（２２）の下限を満足することにより、第４レンズＬ４が像側に凹面を向けたメニスカス形状でありながら、第４レンズＬ４の物体側の面と像側の面との曲率半径に差をつけ、第４レンズＬ４のパワーを強くすることが容易となり、軸上の色収差の補正が容易となるか、球面収差の補正が容易となる。
【００６９】
条件式（２３）の上限を満足することにより、第４レンズＬ４と第５レンズＬ５との合成焦点距離が正の値で小さくなりすぎるのを抑えることが容易となる。これにより、第４レンズＬ４の負のパワーを強くすることが容易となり、軸上の色収差の補正が容易となる。
【００７０】
条件式（２３）の下限を満足することにより、第４レンズＬ４と第５レンズＬ５との合成焦点距離が負の値で絶対値が小さくなりすぎるのを抑えることが容易となる。これにより、第５レンズＬ５の正のパワーを強くすることが容易となり、球面収差の補正が容易となるか、レンズ系の全長を抑えることが容易となる。
【００７１】
なお、上記の作用効果を高めるためには、上記の各条件式について、さらに以下のように上限を追加したり、下限を追加したり、下限または上限を変更したりしたものを満足することが好ましい。また、好ましい態様としては、以下に述べる下限の変更値と上限の変更値とを組み合わせて構成される条件式を満足するものでもよい。下記に例として好ましい条件式の変更例を述べるが、条件式の変更例は下記に式として記載されたものに限定されず、記載された変更値を組み合わせたものとしてもよい。
【００７２】
条件式（１）の上限は−３．３とすることが好ましく、−３．５とすることがより好ましい。
【００７３】
条件式（１）に下限を設けることが好ましく、下限は−５０とすることが好ましい。これにより、第１レンズＬ１の負のパワーが弱くなりすぎるのを抑えることが容易となり、広角化が容易となるか、レンズ径の径方向を小さくすることが容易となる。条件式（１）の下限は−４０とすることがより好ましく、−３５とすることがさらに好ましく、−３０とすることがさらにより好ましい。上記より、例えば下記条件式（１−１）〜（１−５）を満足することがより好ましい。
【００７４】
ｆ１２／ｆ＜−３．３  …  （１−１）
ｆ１２／ｆ＜−３．５  …  （１−２）
−５０＜ｆ１２／ｆ＜−３．２  …  （１−３）
−４０＜ｆ１２／ｆ＜−３．３  …  （１−４）
−３５＜ｆ１２／ｆ＜−３．３  …  （１−５）
条件式（２）の上限は５０とすることが好ましく、４５とすることがより好ましく、４２とすることがさらに好ましく、３５とすることがさらにより好ましい。
【００７５】
条件式（２）に下限を設けることが好ましく、下限は１５とすることが好ましい。これにより、第７レンズＬ７の材料のコストを抑えることが容易となる。条件式（２）の下限は１７とすることがより好ましい。上記より、例えば下記条件式（２−１）〜（２−５）を満足することが好ましい。
【００７６】
１５＜νｄ７＜５５  …  （２−１）
νｄ７＜５０  …  （２−２）
νｄ７＜４５  …  （２−３）
νｄ７＜４２  …  （２−４）
１５＜νｄ７＜４５  …  （２−５）
条件式（３）に上限を設けることが好ましく、上限は８５とすることが好ましい。これにより、第３レンズＬ３の材質のコストを下げることが容易となる。条件式（３）の上限は、７０とすることがより好ましく、６８とすることがさらに好ましく、６５とすることがさらにより好ましい。
【００７７】
条件式（３）の下限は４５とすることが好ましく、５０とすることがより好ましく、５２とすることがさらに好ましい。上記より、例えば下記条件式（３−１）〜（３−６）を満足することが好ましい。
【００７８】
４０＜νｄ３＜８５  …  （３−１）
４０＜νｄ３＜７０  …  （３−２）
４５＜νｄ３  …  （３−３）
５０＜νｄ３  …  （３−４）
５２＜νｄ３  …  （３−５）
５０＜νｄ３＜６８  …  （３−６）
条件式（４）の上限は０．３５とすることが好ましく、０．３とすることがより好ましく、０．２５とすることがさらに好ましく、０．２とすることがさらにより好ましく、０．１５とすることが一層好ましく、０．１とすることがより一層好ましい。
【００７９】
条件式（４）の下限は０．０１とすることが好ましく、０．０２とすることがより好ましく、０．０３とすることがさらに好ましく、０．０４とすることがさらにより好ましい。上記より、例えば下記条件式（４−１）〜（４−１０）を満足することが好ましい。
【００８０】
０．０＜Ｄ４／ｆ＜０．３５  …  （４−１）
０．０＜Ｄ４／ｆ＜０．３  …  （４−２）
０．０＜Ｄ４／ｆ＜０．２５  …  （４−３）
０．０＜Ｄ４／ｆ＜０．２  …  （４−４）
０．０＜Ｄ４／ｆ＜０．１５  …  （４−５）
０．０＜Ｄ４／ｆ＜０．１  …  （４−６）
０．０１＜Ｄ４／ｆ＜０．３５  …  （４−７）
０．０２＜Ｄ４／ｆ＜０．３  …  （４−８）
０．０３＜Ｄ４／ｆ＜０．２５  …  （４−９）
０．０４＜Ｄ４／ｆ＜０．２  …  （４−１０）
条件式（５）に上限を設けることが好ましく、上限は１０とすることが好ましい。これにより、第２レンズＬ２の物体側の面の曲率半径と像側の曲率半径との差を大きくすることが容易となって、第２レンズＬ２のパワーを強くすることが容易となり、球面収差の補正が容易となる。条件式（５）の上限は８とすることが好ましく、６とすることがより好ましく、５とすることがさらに好ましく、４とすることがさらにより好ましい。
【００８１】
条件式（５）の下限は−０．９とすることが好ましく、−０．８９とすることがより好ましく、−０．８８とすることがさらに好ましく、０．０とすることがさらにより好ましく、０．１とすることが一層好ましい。上記より、例えば下記条件式（５−１）〜（５−７）を満足することが好ましい。
【００８２】
−０．９３＜（Ｒ３＋Ｒ４）／（Ｒ３−Ｒ４）＜１０  …  （５−１）
−０．９３＜（Ｒ３＋Ｒ４）／（Ｒ３−Ｒ４）＜８  …  （５−２）
−０．９＜（Ｒ３＋Ｒ４）／（Ｒ３−Ｒ４）＜６  …  （５−３）
−０．８９＜（Ｒ３＋Ｒ４）／（Ｒ３−Ｒ４）＜５  …  （５−４）
−０．９＜（Ｒ３＋Ｒ４）／（Ｒ３−Ｒ４）＜４  …  （５−５）
−０．８８＜（Ｒ３＋Ｒ４）／（Ｒ３−Ｒ４）  …  （５−６）
０．０＜（Ｒ３＋Ｒ４）／（Ｒ３−Ｒ４）  …  （５−７）
条件式（６）に上限を設けることが好ましく、上限は１５とすることが好ましい。これにより、全長の小型化が容易となる。条件式（６）の上限は１０とすることが好ましく、８とすることがより好ましく、７とすることがさらに好ましい。
【００８３】
条件式（６）の下限は１．８５とすることが好ましく、１．９とすることがより好ましく、１．９５とすることがさらに好ましい。上記より、例えば下記条件式（６−１）〜（６−５）を満足することが好ましい。
【００８４】
１．８＜ｆ３４５／ｆ＜１５  …  （６−１）
１．８＜ｆ３４５／ｆ＜１０  …  （６−２）
１．８＜ｆ３４５／ｆ＜８  …  （６−３）
１．９＜ｆ３４５／ｆ＜１０  …  （６−４）
１．８５＜ｆ３４５／ｆ＜７  …  （６−５）
条件式（７）の上限は−０．４３とすることが好ましく、−０．４４とすることがより好ましい。
【００８５】
条件式（７）に下限を設けることが好ましく，下限は−５とすることが好ましい。これにより、第１レンズＬ１の負のパワーが弱くなるのを抑える、すなわち第１レンズＬ１の焦点距離絶対値を小さくすることが容易となり、広角化が容易となる。条件式（７）の下限は、−３とすることが好ましく、−２とすることがさらに好ましく、−１とすることがさらにより好ましく、−０．８とすること一層が好ましく、−０．７とすることがより一層好ましい。上記より、例えば下記条件式（７−１）〜（７−６）を満足することが好ましい。
【００８６】
−５＜ｆ１／ｆ２＜−０．４３  …  （７−１）
−３＜ｆ１／ｆ２＜−０．４２  …  （７−２）
−２＜ｆ１／ｆ２＜−０．４２  …  （７−３）
−１＜ｆ１／ｆ２＜−０．４２  …  （７−４）
−０．８＜ｆ１／ｆ２＜−０．４２  …  （７−５）
−０．７＜ｆ１／ｆ２＜−０．４２  …  （７−６）
条件式（８）の上限は−０．０５とすることが好ましく、−０．２とすることがより好ましく、−０．３とすることがさらに好ましく、−０．４とすることがさらにより好ましく、−０．５とすることが一層好ましい。
【００８７】
条件式（８）の下限は−２．１とすることが好ましく、−２．０とすることがより好ましく、−１．９とすることがさらに好ましく、−１．８とすることがさらにより好ましい。上記より、例えば下記条件式（８−１）〜（８−７）を満足することが好ましい。
【００８８】
−２．１＜（Ｒ１４＋Ｒ１５）／（Ｒ１４−Ｒ１５）＜−０．０５  …  （８−１）
−２．０＜（Ｒ１４＋Ｒ１５）／（Ｒ１４−Ｒ１５）＜−０．２    …  （８−２）
−１．９＜（Ｒ１４＋Ｒ１５）／（Ｒ１４−Ｒ１５）＜−０．２    …  （８−３）
−２．０＜（Ｒ１４＋Ｒ１５）／（Ｒ１４−Ｒ１５）＜−０．３    …  （８−４）
−１．８＜（Ｒ１４＋Ｒ１５）／（Ｒ１４−Ｒ１５）＜−０．３    …  （８−５）
−２．２＜（Ｒ１４＋Ｒ１５）／（Ｒ１４−Ｒ１５）＜−０．４    …  （８−６）
−２．１＜（Ｒ１４＋Ｒ１５）／（Ｒ１４−Ｒ１５）＜−０．４    …  （８−７）
条件式（９）に上限を設けることが好ましく，上限は３．０とすることが好ましい。これにより、第３レンズＬ３の物体側の面が凹面で、その曲率半径が小さくなるのを抑えることが容易となり、球面収差の補正が容易となる。条件式（９）の上限は２．０とすることがより好ましく、１．０とすることがさらに好ましく、０．９５とすることがさらにより好ましく、０．９とすることが一層好ましい。
【００８９】
条件式（９）の下限は−０．７５とすることが好ましく、−０．７とすることがより好ましく、−０．６８とすることがさらに好ましい。上記より、例えば下記条件式（９−１）〜（９−７）を満足することが好ましい。
【００９０】
−０．８＜（Ｒ５＋Ｒ６）／（Ｒ５−Ｒ６）＜２．０  …  （９−１）
−０．８＜（Ｒ５＋Ｒ６）／（Ｒ５−Ｒ６）＜１．０  …  （９−２）
−０．８＜（Ｒ５＋Ｒ６）／（Ｒ５−Ｒ６）＜０．９５  …  （９−３）
−０．８＜（Ｒ５＋Ｒ６）／（Ｒ５−Ｒ６）＜０．９  …  （９−４）
−０．７５＜（Ｒ５＋Ｒ６）／（Ｒ５−Ｒ６）＜１．０  …  （９−５）
−０．７＜（Ｒ５＋Ｒ６）／（Ｒ５−Ｒ６）＜１．０  …  （９−６）
−０．６８＜（Ｒ５＋Ｒ６）／（Ｒ５−Ｒ６）＜２．０  …  （９−７）
条件式（１０）に上限を設けることが好ましく、上限は１０とすることが好ましい。これにより、第５レンズＬ５の正のパワーを強くすることが容易となり、周辺の光線が、撮像素子に入射する角度を抑えることが容易となる。条件式（１０）の上限は、８．０とすることがより好ましく、５．０とすることがさらに好ましく、４．０とすることがさらにより好ましく、３．５とすることが一層好ましい。
【００９１】
条件式（１０）の下限は１．２７とすることが好ましく、１．２８とすることがより好ましく、１．３とすることがさらに好ましい。上記より、例えば下記条件式（１０−１）〜（１０−７）を満足することが好ましい。
【００９２】
１．２５＜ｆ５／ｆ＜１０  …  （１０−１）
１．２５＜ｆ５／ｆ＜８．０  …  （１０−２）
１．２５＜ｆ５／ｆ＜５．０  …  （１０−３）
１．２７＜ｆ５／ｆ＜４．０  …  （１０−４）
１．２５＜ｆ５／ｆ＜３．５  …  （１０−５）
１．２８＜ｆ５／ｆ＜５．０  …  （１０−６）
１．３＜ｆ５／ｆ＜５．０  …  （１０−７）
条件式（１１）に上限を設けることが好ましく、上限は５．０とすることが好ましい。これにより、第５レンズＬ５のパワーを強くすることが容易となり、軸外光線の主光線が撮像素子へ入射する角度を抑えることが容易となるか、球面収差の補正が容易となる。条件式（１１）の上限は、４．０とすることがより好ましく、３．０とすることがさらに好ましく、２．５とすることがさらにより好ましく、２．３とすることが一層好ましい。
【００９３】
条件式（１１）の下限は０．６５とすることが好ましく、０．６とすることがより好ましく、０．７とすることがさらに好ましく、０．８とすることがさらにより好ましい。上記より、例えば下記条件式（１１−１）〜（１１−８）を満足することが好ましい。
【００９４】
０．６５＜（Ｒ１０＋Ｒ１１）／（Ｒ１０−Ｒ１１）  …  （１１−１）
０．５＜（Ｒ１０＋Ｒ１１）／（Ｒ１０−Ｒ１１）＜５．０  …  （１１−２）
０．６＜（Ｒ１０＋Ｒ１１）／（Ｒ１０−Ｒ１１）＜４．０  …  （１１−３）
０．７＜（Ｒ１０＋Ｒ１１）／（Ｒ１０−Ｒ１１）＜３．０  …  （１１−４）
０．５＜（Ｒ１０＋Ｒ１１）／（Ｒ１０−Ｒ１１）＜２．５  …  （１１−５）
０．５＜（Ｒ１０＋Ｒ１１）／（Ｒ１０−Ｒ１１）＜２．３  …  （１１−６）
０．８＜（Ｒ１０＋Ｒ１１）／（Ｒ１０−Ｒ１１）＜４．０  …  （１１−７）
０．６５＜（Ｒ１０＋Ｒ１１）／（Ｒ１０−Ｒ１１）＜３．０  …  （１１−８）
条件式（１２）の上限は０．７とすることが好ましく、０．５とすることがより好ましく、０．３とすることがさらに好ましく、０．２とすることがさらにより好ましく、０．１とすることが一層好ましい。
【００９５】
条件式（１２）に下限を設けることが好ましく、下限は−１．０とすることが好ましい。これにより、第６レンズＬ６が両凸レンズでありながら、物体側の面の曲率半径が小さくなるのを抑えることが容易となり、像面湾曲およびコマ収差の補正が容易となる。条件式（１２）の下限は−０．９とすることがより好ましく、−０．８とすることがさらに好ましく、−０．７とすることがさらにより好ましく、−０．６とすることが一層好ましい。上記より、例えば下記条件式（１２−１）〜（１２−７）を満足することが好ましい。
【００９６】
−１．０＜（Ｒ１２＋Ｒ１３）／（Ｒ１２−Ｒ１３）＜１．０  …  （１２−１）
（Ｒ１２＋Ｒ１３）／（Ｒ１２−Ｒ１３）＜０．５  …  （１２−２）
−０．９＜（Ｒ１２＋Ｒ１３）／（Ｒ１２−Ｒ１３）＜０．３  …  （１２−３）
−０．８＜（Ｒ１２＋Ｒ１３）／（Ｒ１２−Ｒ１３）＜０．２  …  （１２−４）
−０．７＜（Ｒ１２＋Ｒ１３）／（Ｒ１２−Ｒ１３）＜０．５  …  （１２−５）
−０．６＜（Ｒ１２＋Ｒ１３）／（Ｒ１２−Ｒ１３）＜０．７  …  （１２−６）
−０．８＜（Ｒ１２＋Ｒ１３）／（Ｒ１２−Ｒ１３）＜０．３  …  （１２−７）
条件式（１３）に上限を設けることが好ましく、上限は８５とすることが好ましい。これにより、第５レンズＬ５の材質のコストを下げることが容易となる。条件式（１３）の上限は７０とすることがより好ましく、６８とすることがさらに好ましく、６５とすることがさらにより好ましい。
【００９７】
条件式（１３）の下限は２８とすることが好ましく、３０とすることがより好ましく、３５とすることがさらに好ましい。上記より、例えば下記条件式（１３−１）〜（１３−５）を満足することが好ましい。
【００９８】
３０＜νｄ５  …  （１３−１）
２５＜νｄ５＜８５  …  （１３−２）
２５＜νｄ５＜７０  …  （１３−３）
２８＜νｄ５＜６８  …  （１３−４）
３０＜νｄ５＜６５  …  （１３−５）
条件式（１４）の上限は８とすることが好ましく、７とすることがより好ましく、６とすることがさらに好ましく、５とすることがさらにより好ましく、４．５とすることが一層好ましい。
【００９９】
条件式（１４）の下限は０．６とすることが好ましく、０．８とすることがより好ましく、１．０とすることがさらに好ましく、１．２とすることがさらにより好ましい。上記より、例えば下記条件式（１４−１）〜（１４−７）を満足することが好ましい。
【０１００】
０．５＜ｆ３／ｆ＜７  …  （１４−１）
０．８＜ｆ３／ｆ＜１０  …  （１４−２）
０．５＜ｆ３／ｆ＜１０  …  （１４−３）
０．６＜ｆ３／ｆ＜８  …  （１４−４）
０．８＜ｆ３／ｆ＜７  …  （１４−５）
１．０＜ｆ３／ｆ＜６  …  （１４−６）
１．２＜ｆ３／ｆ＜５  …  （１４−７）
条件式（１５）の上限は６．５とすることが好ましく、６とすることがより好ましく、５とすることがさらに好ましく、４．５とすることがさらにより好ましい。
【０１０１】
条件式（１５）の下限は０．７とすることが好ましく、０．９とすることがより好ましく、１．２とすることがさらに好ましく、１．５とすることがさらにより好ましく、１．７とすることが一層好ましい。上記より、例えば下記条件式（１５−１）〜（１５−７）を満足することが好ましい。
【０１０２】
０．５＜ｆ２／ｆ＜６  …  （１５−１）
０．９＜ｆ２／ｆ＜７  …  （１５−２）
０．７＜ｆ２／ｆ＜６．５  …  （１５−３）
０．９＜ｆ２／ｆ＜６  …  （１５−４）
１．２＜ｆ２／ｆ＜５  …  （１５−５）
１．５＜ｆ２／ｆ＜４．５  …  （１５−６）
１．７＜ｆ２／ｆ＜７  …  （１５−７）
条件式（１６）の上限は−０．４とすることが好ましく、−０．６とすることがより好ましく、−０．８とすることがさらに好ましく、−１．０とすることがさらにより好ましい。
【０１０３】
条件式（１６）に下限を設けることが好ましく、下限は−１０とすることが好ましい。これにより、第１レンズＬ１のパワーを強くすることが容易となり、広角化が容易となる。条件式（１６）の下限は−８とすることが好ましく、−７とすることがより好ましく、−５とすることがさらに好ましく、−３とすることがさらにより好ましく、−２とすることが一層好ましい。上記より、例えば下記条件式（１６−１）〜（１６−７）を満足することが好ましい。
【０１０４】
−１０＜ｆ１／ｆ＜−０．２５  …  （１６−１）
−８＜ｆ１／ｆ＜−０．２５  …  （１６−２）
−８＜ｆ１／ｆ＜−０．４  …  （１６−３）
−７＜ｆ１／ｆ＜−０．４  …  （１６−４）
−５＜ｆ１／ｆ＜−０．６  …  （１６−５）
−３＜ｆ１／ｆ＜−０．８  …  （１６−６）
−２＜ｆ１／ｆ＜−１．０  …  （１６−７）
条件式（１７）の上限は１０とすることが好ましく、８とすることがより好ましく、６とすることがさらに好ましく、５とすることがさらにより好ましい。
【０１０５】
条件式（１７）の下限は０．５とすることが好ましく、０．８とすることがより好ましく、１．０とすることがさらに好ましく、１．１とすることがさらにより好ましい。上記より、例えば下記条件式（１７−１）〜（１７−８）を満足することが好ましい。
【０１０６】
０．３＜ｆ１２３／ｆ＜１５  …  （１７−１）
０．５＜ｆ１２３／ｆ＜１０  …  （１７−２）
０．８＜ｆ１２３／ｆ＜８  …  （１７−３）
１．０＜ｆ１２３／ｆ＜６  …  （１７−４）
１．１＜ｆ１２３／ｆ＜５  …  （１７−５）
０．３＜ｆ１２３／ｆ＜１０  …  （１７−６）
０．５＜ｆ１２３／ｆ＜６  …  （１７−７）
０．８＜ｆ１２３／ｆ＜８  …  （１７−８）
条件式（１８）の上限は１５とすることが好ましく、１０とすることがより好ましく、８とすることがさらに好ましく、７とすることがさらにより好ましく、６とすることが一層好ましい。
【０１０７】
条件式（１８）の下限は０．８とすることが好ましく、１．０とすることがより好ましく、１．２とすることがさらに好ましい。上記より、例えば下記条件式（１８−１）〜（１８−７）を満足することが好ましい。
【０１０８】
０．５＜ｆ２３４／ｆ＜１０  …  （１８−１）
０．８＜ｆ２３４／ｆ＜１５  …  （１８−２）
１．０＜ｆ２３４／ｆ＜８  …  （１８−３）
１．２＜ｆ２３４／ｆ＜７  …  （１８−４）
１．０＜ｆ２３４／ｆ＜６  …  （１８−５）
０．８＜ｆ２３４／ｆ＜８  …  （１８−６）
０．５＜ｆ２３４／ｆ＜６  …  （１８−７）
条件式（１９）の上限は９とすることが好ましく、８とすることがより好ましく、７とすることがさらに好ましく、６とすることがさらにより好ましく、５．５とすることが一層好ましい。
【０１０９】
条件式（１９）の下限は０．８とすることが好ましく、１．０とすることがより好ましく、１．２とすることがさらに好ましく、１．５とすることがさらにより好ましい。上記より、例えば下記条件式（１９−１）〜（１９−８）を満足することが好ましい。
【０１１０】
０．５＜ｆ１２３４５／ｆ＜８  …  （１９−１）
０．５＜ｆ１２３４５／ｆ＜９  …  （１９−２）
０．８＜ｆ１２３４５／ｆ＜８  …  （１９−３）
１．０＜ｆ１２３４５／ｆ＜７  …  （１９−４）
１．２＜ｆ１２３４５／ｆ＜６  …  （１９−５）
１．５＜ｆ１２３４５／ｆ＜５．５  …  （１９−６）
０．８＜ｆ１２３４５／ｆ＜１０  …  （１９−７）
０．８＜ｆ１２３４５／ｆ＜７  …  （１９−８）
条件式（２０）の上限は８とすることが好ましく、６とすることがより好ましく、５とすることがさらに好ましく、４とすることがさらにより好ましく、３とすることが一層好ましい。
【０１１１】
条件式（２０）の下限は０．６とすることが好ましく、０．８とすることがより好ましく、１．０とすることがさらに好ましく、１．２とすることがさらにより好ましい。上記より、例えば下記条件式（２０−１）〜（２０−７）を満足することが好ましい。
【０１１２】
０．６＜ｆ２３４５／ｆ＜８  …  （２０−１）
０．８＜ｆ２３４５／ｆ＜６  …  （２０−２）
１．０＜ｆ２３４５／ｆ＜５  …  （２０−３）
１．２＜ｆ２３４５／ｆ＜４  …  （２０−４）
１．０＜ｆ２３４５／ｆ＜３  …  （２０−５）
０．４＜ｆ２３４５／ｆ＜６  …  （２０−６）
０．８＜ｆ２３４５／ｆ＜８  …  （２０−７）
条件式（２１）の上限は４．０とすることが好ましく、３．０とすることがより好ましく、２．０とすることがさらに好ましい。
【０１１３】
条件式（２１）の下限は、０．３とすることが好ましく、０．５とすることがより好ましく、０．６とすることがさらに好ましい。上記より、例えば下記条件式（２１−１）〜（２１−６）を満足することが好ましい。
【０１１４】
０．３＜ｆ３４５６／ｆ＜４．０  …  （２１−１）
０．５＜ｆ３４５６／ｆ＜３．０  …  （２１−２）
０．６＜ｆ３４５６／ｆ＜２．０  …  （２１−３）
０．３＜ｆ３４５６／ｆ＜５．０  …  （２１−４）
０．１＜ｆ３４５６／ｆ＜２．０  …  （２１−５）
０．３＜ｆ３４５６／ｆ＜３．０  …  （２１−６）
条件式（２２）の上限は３．０とすることが好ましく、２．０とすることがより好ましく、１．０とすることがさらに好ましく、０．９とすることがさらにより好ましい。
【０１１５】
条件式（２２）の下限は−３．５とすることが好ましく、−３．０とすることがより好ましく、−２．５とすることがさらに好ましく、−２．０とすることがさらにより好ましい。上記より、例えば下記条件式（２２−１）〜（２２−５）を満足することが好ましい。
【０１１６】
−３．５＜（Ｒ８＋Ｒ９）／（Ｒ８−Ｒ９）＜３．０  …  （２２−１）
−３．０＜（Ｒ８＋Ｒ９）／（Ｒ８−Ｒ９）＜２．０  …  （２２−２）
−２．５＜（Ｒ８＋Ｒ９）／（Ｒ８−Ｒ９）＜１．０  …  （２２−３）
−２．０＜（Ｒ８＋Ｒ９）／（Ｒ８−Ｒ９）＜２．０  …  （２２−４）
−３．０＜（Ｒ８＋Ｒ９）／（Ｒ８−Ｒ９）＜３．０  …  （２２−５）
条件式（２３）の上限は２とすることが好ましく、１とすることがより好ましく、０．７とすることがさらに好ましく、０．５とすることがさらにより好ましく、０．３とすることが一層好ましく、０．２とすることがより一層好ましい。
【０１１７】
条件式（２３）の下限は−２とすることが好ましく、−１とすることがより好ましく、−０．７とすることがさらに好ましく、−０．５とすることがさらにより好ましく、−０．３とすることが一層好ましい。上記より、例えば下記条件式（２３−１）〜（２３−６）を満足することが好ましい。
【０１１８】
−１＜ｆ／ｆ４５＜１  …  （２３−１）
−０．７＜ｆ／ｆ４５＜０．７  …  （２３−２）
−０．５＜ｆ／ｆ４５＜０．５  …  （２３−３）
−０．３＜ｆ／ｆ４５＜１  …  （２３−４）
−１＜ｆ／ｆ４５＜０．３  …  （２３−５）
−０．５＜ｆ／ｆ４５＜０．３  …  （２３−６）
開口絞りとは、レンズ系のＦ値（Ｆｎｏ）を決める絞りのことであり、開口絞りは第６レンズＬ６より物体側に配置されていることが好ましい。ここで、開口絞りが第６レンズＬ６より物体側に配置されているとは、開口絞りの中心（光軸上の位置）が第６レンズＬ６の像側の面より物体側にあることを意味する。開口絞りを第６レンズＬ６より物体側に配置することにより、第１レンズＬ１の開口径を小さくすることが容易となり、レンズ径の小型化が容易となる。例えば本実施形態の撮像レンズを車載カメラに使用する場合、車の外観を損なわないため、レンズのうち外部に露出する部分は小さくすることが求められる。開口絞りを第６レンズＬ６より物体側に配置することにより、第１レンズＬ１の開口径を小さくすることが容易となり、レンズのうち外部に露出する部分を小さくすることが容易となる。さらに、光線が撮像素子に入射する角度を抑えることが容易となり、シェーディングを抑えることが容易となる。
【０１１９】
開口絞りは第５レンズＬ５より物体側に配置されることが好ましい。
【０１２０】
開口絞りは第４レンズＬ４の像側の面より物体側に配置されることがより好ましい。これにより、レンズ系の外部に露出する部分の小型化が容易となる。
【０１２１】
開口絞りは第２レンズＬ２より像側に配置されることが好ましい。これにより、第７レンズＬ７の径と第１レンズＬ１の径のバランスをとることができ、全体のレンズ径を小型化することが容易となる。
【０１２２】
開口絞りは第３レンズＬ３より像側に配置されることが好ましい。
【０１２３】
外部に露出する部分を小型化およびレンズ系全体の径の小型化をバランスよく行うためには、開口絞りは第２レンズＬ２と第３レンズＬ３との間、第３レンズＬ３と第４レンズＬ４との間、もしくは第４レンズＬ４と第５レンズＬ５との間に配置されることが好ましい。
【０１２４】
第１レンズＬ１は物体側に凸面を向けていることが好ましい。これにより、ディストーションを良好に補正することが容易となる。
【０１２５】
第１レンズＬ１は物体側に凸面を向けたメニスカス形状を有することが好ましい。これにより、ディストーションの補正が容易となる。
【０１２６】
第２レンズＬ２は像側に凸面を向けたレンズとすることが好ましい。これにより、非点収差の補正が容易となる。
【０１２７】
第２レンズＬ２の物体側の面は凹面であることが好ましい。これにより、ディストーションの補正が容易となる。第２レンズＬ２の物体側の面は凸面としてもよい。これにより、非点収差の補正が容易となる。
【０１２８】
第３レンズＬ３の物体側の面は凸面であることが好ましい。これにより、非点収差の補正が容易となる。
【０１２９】
第３レンズＬ３の像側の面は凸面であることが好ましい。これにより、球面収差の補正が容易となる。
【０１３０】
第４レンズＬ４の物体側の面は凹面であることが好ましい。これにより、第４レンズＬ４の負のパワーを強くすることが容易となり、軸上の色収差の補正が容易となるか、非点収差の補正が容易となる。
【０１３１】
第４レンズＬ４の像側の面は凹面であることが好ましい。これにより、第４レンズＬ４の負のパワーを強くすることが容易となり、軸上の色収差の補正が容易となるか、球面収差の補正が容易となる。
【０１３２】
第５レンズＬ５の物体側の面は凹面であることが好ましい。これにより、非点収差の補正が容易となる。
【０１３３】
第５レンズＬ５の像側の面は凸面または平面であることが好ましい。これにより、球面収差の補正が容易となる。
【０１３４】
第６レンズＬ６の物体側の面は凸面であることが好ましい。これにより、球面収差の補正が容易となる。
【０１３５】
第６レンズＬ６の像側の面は凸面であることが好ましい。これにより、非点収差の補正が容易となる。
【０１３６】
第７レンズＬ７の物体側の面は凹面であることが好ましい。これにより、非点収差の補正が容易となる。
【０１３７】
第７レンズＬ７の像側の面は平面または、凸面であることが好ましい。これにより、軸外光線の主光線が撮像素子へ入射する角度を抑えることが容易となる。第７レンズＬ７の像側の面は凹面としてもよい。これにより、非点収差の補正が容易となる。
【０１３８】
第１レンズＬ１を構成する材質のｄ線に対するアッベ数は３０以上とすることが好ましい。これにより、軸上の色収差および倍率の色収差を良好に補正することが可能となる。また、３５以上であることがより好ましく、４０以上とすることがさらに好ましい。
【０１３９】
第１レンズＬ１を構成する材質のｄ線に対するアッベ数は８５以下とすることが好ましい。これにより、第１レンズＬ１の材質の屈折率を高くすることが容易となり、広角化が容易となるか、第１レンズＬ１の材質のコストを抑えることが容易となる。また、８０以下とすることがより好ましく、７０以下とすることがさらに好ましく、６５以下とすることがさらにより好ましい。
【０１４０】
第２レンズＬ２を構成する材質のｄ線に対するアッベ数は１５以上とすることが好ましい。これにより、軸上の色収差を良好に補正することが可能となる。また、１８以上とすることがより好ましく、２０以上とすることがさらに好ましい。
【０１４１】
第２レンズＬ２を構成する材質のｄ線に対するアッベ数は６０以下とすることが好ましい。これにより、倍率の色収差の補正が容易となる。また、５０以下とすることがより好ましく、４５以下とすることがさらに好ましい。
【０１４２】
第４レンズＬ４を構成する材質のｄ線に対するアッベ数は４０以下とすることが好ましい。これにより、軸上の色収差の補正が可能となる。また、３５以下とすることがより好ましく、３０以下とすることがさらに好ましく、２５以下とすることがさらにより好ましく、２０以下とすることが一層好ましい。
【０１４３】
第６レンズＬ６を構成する材質のｄ線に対するアッベ数は３０以上とすることが好ましい。これにより、軸上の色収差と倍率の色収差とを良好に補正することが可能となる。また、４０以上とすることがより好ましく、５０以上とすることがさらに好ましく、５５以上とすることがさらにより好ましい。
【０１４４】
第６レンズＬ６を構成する材質のｄ線に対するアッベ数は８０以下とすることが好ましい。これにより、第６レンズＬ６の材料のコストを安くすることが容易となるか、第６レンズＬ６の屈折率を高くすることが容易となり、像面湾曲の補正が容易となる。また、７０以下とすることがさらに好ましく、６５以下とすることがさらに好ましい。
【０１４５】
本発明の第１から第３の実施形態に係る撮像レンズにおいては、第１レンズＬ１から第７レンズＬ７の各レンズのいずれかの面を非球面とすることが好ましい。これにより、諸収差を良好に補正することができる。
【０１４６】
第２レンズＬ２の少なくとも片側の面を非球面とすることが好ましい。第２レンズＬ２の少なくとも片側の面を非球面とすることにより、像面湾曲および球面収差を補正することが容易となり、良好な解像性能を得ることが可能となる。第２レンズＬ２は両面を非球面とすることがより好ましい。
【０１４７】
第２レンズＬ２の物体側の面を非球面とすることが好ましい。これにより、球面収差、非点収差およびディストーションを良好に補正することが容易となる。
【０１４８】
第２レンズＬ２の像側の面を非球面とすることが好ましい。これにより、球面収差、非点収差およびディストーションを良好に補正することが容易となる。
【０１４９】
第２レンズＬ２の物体側の面は、中心（近軸領域）が正のパワーを持ち、有効径端では、中心と比較して正のパワーが弱い形状、もしくは中心が正のパワーを持ち、有効径端では負のパワーを持つ形状とすることが好ましい。これにより、球面収差および非点収差の補正が容易となる。
【０１５０】
非球面における「凸面（正のパワー）」、「凹面（負のパワー）」は、とくに断りのない限り近軸領域で考えるものとする。非球面における近軸領域以外の点におけるパワーは、その点における面の法線を考え、その点から法線と光軸が交わる点までの長さをその点における曲率半径とし、その長さの絶対値が、近軸の曲率半径の絶対値と比べて大きいか小さいかで判断する。非球面上のある点における曲率半径の絶対値が近軸の曲率半径の絶対値より大きい場合、近軸領域と比べてその点におけるパワーは小さく（弱く）なっているものとし、非球面上のある点における曲率半径の絶対値が近軸の曲率半径の絶対値より小さい場合、近軸領域と比べて、その点におけるパワーは大きく（強く）なっているものとする。
【０１５１】
非球面における近軸領域以外の点における「凸面（正のパワー）」、「凹面（負のパワー）」は、その点における面の法線を考え、法線と光軸が交わる点が、面と光軸が交わる点のどちら側にあるかで判断する。面が物体側の面の場合には、法線と光軸が交わる点が、面と光軸が交わる点より像側の場合には凸面（正のパワー）、法線と光軸が交わる点が、面と光軸が交わる点より物体側の場合には凹面（負のパワー）とする。面が像側の面の場合には、法線と光軸が交わる点が、面と光軸が交わる点より物体側の場合には凸面（正のパワー）、法線と光軸が交わる点が、面と光軸が交わる点より像側の場合には凹面（負のパワー）とする。
【０１５２】
なお、「面の有効径」とは、結像に寄与する全光線とレンズ面との交わる点を考えたとき、径方向における最も外側の点（最も光軸から離れた点）からなる円の直径を意味し、「有効径端」とは、この最も外側の点を意味するものとする。なお、光軸に対して回転対称の系においては、上記の最も外側の点からなる図形は円となるが、回転対称ではない系においては円とならない場合があり、そのような場合は、等価の円形を考えてその円の直径を有効径としてもよい。
【０１５３】
以下、非球面の形状に関して具体的に説明する。図２は第２レンズの面形状を説明するための図である。ここで、各レンズのレンズ面をｉとする。ｉは該当するレンズ面を表す記号である。例えば、第２レンズＬ２の物体側の面が３で表されるとき、第２レンズＬ２の物体側の面に関する以下の説明はｉ＝３として考えることができる。そして、レンズ面ｉ上のある点をＸｉとして、その点での法線と光軸との交点をＰｉとするとき、Ｘｉ−Ｐｉの長さ（｜Ｘi−Ｐi｜）をＸｉ点での曲率半径の絶対値｜ＲＸｉ｜とし、Ｐｉをその点Ｘｉでの曲率中心と定義する。また、第ｉレンズ面と光軸の交点をＱｉとする。このとき点Ｘｉでのパワーは点Ｐｉが点Ｑｉを基準として物体側、像側のいずれの側にあるかで定義する。物体側の面においては点Ｐｉが点Ｑｉより像側にある場合を正のパワー、点Ｐｉが点Ｑｉより物体側にある場合を負のパワーと定義し、像側の面においては点Ｐｉが点Ｑｉより物体側にある場合を正のパワー、点Ｐｉが点Ｑｉより像側にある場合を負のパワーと定義する。
【０１５４】
中心と点Ｘｉとのパワーを比較する場合、中心の曲率半径（近軸の曲率半径）の絶対値と、点Ｘｉでの曲率半径の絶対値｜ＲＸｉ｜とを比較し、近軸の曲率半径絶対値より｜ＲＸｉ｜が小さくなっている場合、中心と比較して点Ｘｉのパワーは強くなっているものとする。逆に近軸の曲率半径絶対値より｜ＲＸｉ｜が大きくなっている場合、中心と比較して点Ｘｉのパワーは弱くなっているものとする。これは面が正のパワーである場合も負のパワーである場合も同様である。
【０１５５】
ここで、図２を参照しながら、上記の第２レンズＬ２の物体側の面の形状について説明する。図２は図１で示した撮像レンズ１の光路図である。図２において、点Ｑ３は、第２レンズＬ２の物体側の面の中心であり、第２レンズＬ２の物体側の面と光軸Ｚとの交点である。また図２において、第２レンズＬ２の物体側の面上の点Ｘ３は有効径端にあり、軸外光束３に含まれる最も外側の光線と第２レンズＬ２の像側の面との交点となっている。図２では点Ｘ３は有効径端にあるが、点Ｘ３は第２レンズＬ２の物体側の面上の任意の点であるため、他の点でも同様に考えることができる。
【０１５６】
このとき、点Ｘ３でのレンズ面の法線と光軸Ｚとの交点を図２に示すように点Ｐ３とし、点Ｘ３と点Ｐ３を結ぶ線分Ｘ３−Ｐ３を点Ｘ３での曲率半径ＲＸ３と定義し、線分Ｘ３−Ｐ３の長さ｜Ｘ３−Ｐ３｜を曲率半径ＲＸ３の絶対値｜ＲＸ３｜と定義する。すなわち、｜Ｘ３−Ｐ３｜＝｜ＲＸ３｜である。また、点Ｑ３での曲率半径、すなわち、第２レンズＬ２の物体側の面の中心の曲率半径をＲ３とし、その絶対値を｜Ｒ３｜とする（図２では｜Ｒ３｜が非常に大きいため不図示）。
【０１５７】
例えば、上述した第２レンズＬ２の物体側の面の、「中心が正のパワーを持ち、有効径端では負のパワーを持つ形状」とは、点Ｘ３を有効径端とした場合に、点Ｑ３を含む近軸領域で凸形状であり、点Ｐ３が点Ｑ３より物体側にある形状を意味する。
【０１５８】
また、第２レンズＬ２の物体側の面の、「中心が正のパワーを持ち、有効径端では、中心と比較して正のパワーが弱い形状」とは、点Ｘ３を有効径端とした場合に、点Ｑ３を含む近軸領域で凸形状であり、点Ｐ３が点Ｑ３より像側にあり、かつ、点Ｘ３での曲率半径の絶対値｜ＲＸ３|が点Ｑ３での曲率半径の絶対値｜Ｒ３｜よりも大きい形状を意味する。
【０１５９】
第２レンズＬ２の物体側の面は、中心が負のパワーを持ち、有効径端では中心と比較して負のパワーが弱い形状としてもよい。これにより、球面収差および非点収差の補正が容易となる。
【０１６０】
また、第２レンズＬ２の物体側の面は、中心が正のパワーを持ち、有効径端では中心と比較して正のパワーが強い形状としてもよい。これにより、非点収差の補正が容易となる。
【０１６１】
第２レンズＬ２の像側の面は、中心が正のパワーを持ち、有効径端では中心と比較して正のパワーが弱い形状、もしくは中心が正のパワーを持ち、有効径端では負のパワーを持つ形状とすることが好ましい。これにより、球面収差および非点収差の補正が容易となる。
【０１６２】
第３レンズＬ３の少なくとも片側の面を非球面とすることが好ましい。第３レンズＬ３の少なくとも片側の面を非球面とすることにより、球面収差および非点収差を補正することが容易となり、良好な解像性能を得ることが可能となる。第３レンズＬ３は両面を非球面とすることがより好ましい。
【０１６３】
第３レンズＬ３の物体側の面を非球面とすることが好ましい。これにより、球面収差および非点収差を良好に補正することが容易となる。
【０１６４】
第３レンズＬ３の物体側の面は、中心が正のパワーを持ち、有効径端では中心と比較して正のパワーが弱い形状としてもよい。これにより、球面収差および非点収差の補正が容易となる。
【０１６５】
第３レンズＬ３の像側の面を非球面とすることが好ましい。これにより、球面収差を良好に補正することが容易となる。
【０１６６】
第３レンズＬ３の像側の面は、中心が正のパワーを持ち、有効径端では中心と比較して正のパワーが強い形状としてもよい。これにより、球面収差の補正が容易となる。
【０１６７】
第４レンズＬ４の少なくとも片側の面を非球面とすることが好ましい。第４レンズＬ４の少なくとも片側の面を非球面とすることにより、球面収差および像面湾曲を補正することが容易となり、良好な解像性能を得ることが可能となる。第４レンズＬ４は両面を非球面とすることがより好ましい。
【０１６８】
第４レンズＬ４の物体側の面は、中心が負のパワーを持ち、有効径端では中心と比較して負のパワーが弱い形状とすることが好ましい。これにより、球面収差および非点収差の補正が容易となる。
【０１６９】
第４レンズＬ４の像側の面は、中心が負のパワーを持ち、有効径端では中心と比較して負のパワーが強い形状とすることが好ましい。これにより、球面収差および非点収差の補正が容易となる。
【０１７０】
第５レンズＬ５の少なくとも片側の面を非球面とすることが好ましい。第５レンズＬ５の少なくとも片側の面を非球面とすることにより、球面収差および非点収差を補正することが容易となり、良好な解像性能を得ることが可能となる。第５レンズＬ５は両面を非球面とすることがより好ましい。
【０１７１】
第５レンズＬ５の物体側の面を非球面とすることが好ましい。これにより、球面収差および非点収差を良好に補正することが容易となる。
【０１７２】
第５レンズＬ５の物体側の面は、中心が負のパワーを持ち、有効径端では中心と比較して負のパワーが強い形状、もしくは中心が正のパワーを持ち、有効径端では負のパワーを持つ形状とすることが好ましい。これにより、球面収差の補正が容易となる。
【０１７３】
第５レンズＬ５の物体側の面は、中心が正のパワーを持ち、有効径端では中心と比較して正のパワーが強い形状としてもよい。これにより、非点収差の補正が容易となる。
【０１７４】
第５レンズＬ５の像側の面を非球面とすることが好ましい。これにより、球面収差および非点収差を良好に補正することが容易となる。
【０１７５】
第５レンズＬ５の像側の面は、中心が正のパワーを持ち、有効径端では中心と比較して正のパワーが強い形状としてもよい。これにより、非点収差の補正が容易となる。
【０１７６】
第５レンズＬ５の像側の面は、中心が正のパワーを持ち、有効径端では中心と比較して正のパワーが弱い形状としてもよい。これにより、球面収差の補正が容易となる。
【０１７７】
第７レンズＬ７の少なくとも片側の面を非球面とすることが好ましい。第７レンズＬ７の少なくとも片側の面を非球面とすることにより、球面収差および非点収差を補正することが容易となり、良好な解像性能を得ることが可能となる。第７レンズＬ７は両面を非球面とすることがより好ましい。
【０１７８】
第７レンズＬ７の物体側の面を非球面とすることが好ましい。これにより、球面収差および非点収差を良好に補正することが容易となる。
【０１７９】
第７レンズＬ７の物体側の面は、中心が負のパワーを持ち、有効径端では中心と比較して負のパワーが強い形状としてもよい。これにより、非点収差およびコマ収差の補正が容易となる。
【０１８０】
第７レンズＬ７の像側の面を非球面とすることが好ましい。これにより、球面収差を良好に補正することが容易となる。
【０１８１】
第７レンズＬ７の像側の面は、中心が負のパワーを持ち、有効径端では中心と比較して負のパワーが弱い形状、もしくは中心が負のパワーを持ち、有効径端では正のパワーを持つ形状としてもよい。これにより、非点収差の補正が容易となる。
【０１８２】
第７レンズＬ７の像側の面は、中心が平面もしくは正のパワーを持ち、有効径端では中心と比較して正のパワーが強い形状としてもよい。これにより、非点収差の補正が容易となる。
【０１８３】
第１レンズＬ１の材質はガラスであることが好ましい。撮像レンズが例えば車載用カメラおよび監視カメラ用等の厳しい環境において使用される場合には、最も物体側に配置される第１レンズＬ１は、風雨による表面劣化、直射日光による温度変化に強く、さらには油脂および洗剤等の化学薬品に強い材質、すなわち耐水性、耐候性、耐酸性および耐薬品性等が高い材質を用いることが要望され、また、堅く、割れにくい材質を用いることが要望される。材質をガラスとすることにより、これらの要望を満たすことが可能となる。また、第１レンズＬ１の材質として、透明なセラミックスを用いてもよい。
【０１８４】
なお、第１レンズＬ１の物体側の面に、強度、耐傷性および耐薬品性を高めるための保護手段を施してもよく、その場合には、第１レンズＬ１の材質をプラスチックとしてもよい。このような保護手段は、ハードコートであってもよく、撥水コートであってもよい。
【０１８５】
例えば車載カメラ用レンズにおいてはレンズは各種衝撃に耐えることが求められる。このため第１レンズＬ１は厚いことが好ましく、第１レンズＬ１の中心厚が０．５ｍｍ以上であることが好ましい。
【０１８６】
例えば車載カメラやとして使用される場合、寒冷地の外気から熱帯地域の夏の車内まで広い温度範囲で使用可能なことが条件となる。このような条件に耐え得る耐環境性のよい光学系を作製するためには、すべてのレンズがガラスであることが好ましい。監視カメラ用レンズや車載カメラ用レンズとして用いられた場合、高温から低温までの広い温度範囲や高湿等の様々な条件で用いられる可能性がある。それらに強い光学系を作製するためには、すべてのレンズがガラスで作製されていることが好ましい。
【０１８７】
第１レンズＬ１から第７レンズＬ７のいずれか、あるいはこれらのうちの任意の複数の組み合わせにおいて、その材質をプラスチックとすることが好ましい。材質をプラスチックとすることにより、レンズ系を安価で軽量化することが容易となるとともに、非球面形状を安価かつ正確に作製することができるため、球面収差および像面湾曲を良好に補正することが可能となる。
【０１８８】
温度変化に強いレンズ系を作製するためには、正のパワーのプラスチックレンズと負のパワーのプラスチックレンズとを有することが好ましい。プラスチックレンズは一般的に温度変化による特性の変化が大きく、これによりフォーカスシフトが発生してしまうが、レンズ系に正のパワーのプラスチックレンズと負のパワーのプラスチックレンズとを含むことにより、パワー変化を打ち消しあい、性能劣化を最小限にとどめることが可能となる。
【０１８９】
プラスチックの材質としては、例えば、アクリル、ポリオレフィン系の材質、ポリカーボネイト系の材質、エポキシ樹脂、ＰＥＴ（Ｐｏｌｙｅｔｈｙｌｅｎｅ  ｔｅｒｅｐｈｔｈａｌａｔｅ）、ＰＥＳ（Ｐｏｌｙ  Ｅｔｈｅｒ  Ｓｕｌｐｈｏｎｅ）等を用いることができる。
【０１９０】
なお、撮像レンズ１の用途に応じて、レンズ系と撮像素子５との間に紫外光から青色光をカットするようなフィルタ、または赤外光をカットするようなＩＲ（ＩｎｆｒａＲｅｄ）カットフィルタを挿入してもよい。上記フィルタと同様の特性を持つコートをレンズ面に塗布してもよい。またはいずれかのレンズの材質として紫外光や青色光、赤外光等を吸収する材質を用いてもよい。
【０１９１】
図１では、レンズ系と撮像素子５との間に各種フィルタ等を想定した光学部材ＰＰを配置した例を示しているが、この代わりに、各レンズの間にこれらの各種フィルタを配置してもよい。あるいは、撮像レンズが有するいずれかのレンズのレンズ面に、各種フィルタと同様の作用を有するコートを施してもよい。
【０１９２】
なお、各レンズ間の有効径外を通過する光束は、迷光となって像面に達し、ゴーストとなるおそれがあるため、必要に応じて、この迷光を遮光する遮光手段を設けることが好ましい。この遮光手段としては、例えばレンズの有効径外の部分に不透明な塗料を施したり、不透明な板材を設けたりしてもよい。または迷光となる光束の光路に不透明な板材を設けて遮光手段としてもよい。あるいは、最も物体側のレンズのさらに物体側に迷光を遮断するフードのようなものを配置してもよい。図１では、第１レンズＬ１の像側の面の有効径外に遮光手段１１を設けた例を示している。なお、遮光手段を設ける箇所は図１に示す例に限定されず、他のレンズや、レンズ間に配置してもよい。
【０１９３】
さらに、各レンズの間に周辺光量比が実用上問題のない範囲で周辺光線を遮断する絞り等の部材を配置してもよい。周辺光線とは、光軸Ｚ外の物点からの光線のうち、光学系の入射瞳の周辺部分を通る光線のことである。このように周辺光線を遮断する部材を配置することにより、結像領域周辺部の画質を向上させることができる。また、この部材でゴーストを発生させる光を遮断することにより、ゴーストを低減することが可能となる。
【０１９４】
また、レンズ系が、第１レンズＬ１から第７レンズＬ７の７枚のみからなるように構成することが好ましい。
【０１９５】
本実施形態に係る撮像装置は、本実施形態に係る撮像レンズを備えているため、小型に構成でき、撮像素子を用いて解像度が高く、かつ明るい良好な像を得ることができる。
【０１９６】
なお、第１から第３の実施形態に係る撮像レンズを備えた撮像装置で撮影した画像を携帯電話（スマートフォンを含む）に表示するようにしてもよい。例えば本実施形態の撮像レンズを備えた撮影装置を車載カメラとして自動車に搭載し、自動車の背後や周辺を車載カメラにより撮影し、撮影により取得した画像を表示装置に表示する場合がある。このような場合、カーナビゲーションシステム（以下カーナビとする）が搭載されている自動車においては、撮影した画像はカーナビの表示装置に表示すればよいが、カーナビが搭載されていない場合、液晶ディスプレイ等の専用の表示装置を自動車に設置する必要がある。しかしながら、表示装置は高価である。一方、近年の携帯電話は、動画やＷｅｂの閲覧が可能になる等、高性能な表示装置が搭載されている。携帯電話を車載カメラ用の表示装置として用いることにより、カーナビが搭載されていない自動車に関しても、専用の表示装置を搭載する必要がなくなり、その結果、安価に車載カメラを搭載することが可能となる。
【０１９７】
ここで、車載カメラが撮影した画像は、ケーブル等を用いて有線にて携帯電話に送信してもよく、赤外線通信等の無線により携帯電話に送信してもよい。また、携帯電話等と自動車の作動状態とを連動させ、自動車のギアがバックに入ったり、ウインカー等を出したりした際に、自動で携帯電話の表示装置に車載カメラの画像を表示するようにしてもよい。
【０１９８】
なお、車載カメラの画像を表示する表示装置としては、携帯電話のみならず、ＰＤＡ等の携帯情報端末でもよく、小型のパソコンでもよく、あるいは持ち歩き可能な小型のカーナビでもよい。
【０１９９】
また、本発明の撮像レンズを搭載した携帯電話を自動車に固定することにより、車載カメラとして使用してもよい。近年のスマートフォンはパーソナルコンピュータ並の処理能力を備えているため、例えば携帯電話を自動車のダッシュボード等に固定し、カメラを前方に向けることにより、携帯電話のカメラを車載カメラと同様に用いることが可能となる。なお、スマートフォンのアプリケーションとして、白線や道路標識を認識し、警告を行う機能を備えていてもよい。また、運転手にカメラを向け、居眠りや脇見の際に警告を行うシステムとしてもよい。また、自動車と連動し、ハンドルを操作するシステムの一部としてもよい。自動車は高温環境や低温環境に放置されるため、車載カメラは厳しい耐環境性が要求される。本発明の撮像レンズを携帯電話に搭載した場合、運転時以外は携帯電話は運転手とともに車外に出てしまうため、撮像レンズの耐環境性をゆるめることが可能となり、安価に車載システムを導入することが可能となる。
[撮像レンズの数値実施例]
次に、本発明の撮像レンズの数値実施例について説明する。
［実施例１］
実施例１の撮像レンズのレンズ断面図を図３に示す。図３において、図の左側が物体側、右側が像側であり、図１と同様、開口絞りＳｔ、光学部材ＰＰ、像面Ｓｉｍに配置された撮像素子５も併せて図示している。各図の開口絞りＳｔは形状や大きさを表すものではなく、光軸Ｚ上の位置を示すものである。表１は実施例１の撮像レンズのレンズデータを示す。表１において、（Ａ）は基本レンズデータを、（Ｂ）は各種データを、（Ｃ）は非球面データを示している。
【０２００】
基本レンズデータにおいて、Ｓｉの欄には最も物体側の構成要素の物体側の面を１番目として像側に向かうに従い順次増加するように構成要素に面番号を付したときのｉ番目（ｉ＝１、２、３、…）の面番号を示す。Ｒｉの欄にはｉ番目の面の曲率半径を示し、Ｄｉの欄はｉ番目の面とｉ＋１番目の面との光軸Ｚ上の面間隔を示している。Ｎｄｊの欄には最も物体側の構成要素を１番目として像側に向かうに従い順次増加するｊ番目（ｊ＝１、２、３、…）の構成要素のｄ線（波長５８７．５６ｎｍ）に関する屈折率を示し、νｄｊの欄にはｊ番目の構成要素のｄ線基準でのアッベ数を示している。
【０２０１】
なお、基本レンズデータには開口絞りＳｔと光学部材ＰＰも含めて示しており、開口絞りＳｔに相当する面の面番号の欄には面番号と（Ｓｔ）という語句を記載している。曲率半径の符号は、物体側に凸を向けた形状の場合を正とし、像側に凸を向けた形状の場合を負としている。
【０２０２】
各種データにおいて、Ｌ（in Air）は第１レンズＬ１の物体側の面から像面Ｓｉｍまでの光軸Ｚ上の距離（バックフォーカス分は空気換算長）、Ｂｆ（in Air）は最も像側のレンズの像側の面から像面Ｓｉｍまでの光軸Ｚ上の距離（バックフォーカスに相当、空気換算長）、ｆは全系の焦点距離、ｆ１〜ｆ７は第１レンズＬ１から第７レンズＬ７のそれぞれの焦点距離、ｆ１２は第１レンズＬ１と第２レンズＬ２との合成焦点距離、ｆ４５は第４レンズＬ４と第５レンズＬ５との合成焦点距離、ｆ１２３は第１レンズＬ１と第２レンズＬ２と第３レンズＬ３との合成焦点距離、ｆ２３４は第２レンズＬ２と第３レンズＬ３と第４レンズＬ４との合成焦点距離、ｆ３４５は第３レンズＬ３と第４レンズＬ４と第５レンズＬ５との合成焦点距離、ｆ２３４５は第２レンズＬ２と第３レンズＬ３と第４レンズＬ４と第５レンズＬ５との合成焦点距離、ｆ３４５６は第３レンズＬ３と第４レンズＬ４と第５レンズＬ５と第６レンズＬ６との合成焦点距離、ｆ１２３４５は第１レンズＬ１と第２レンズＬ２と第３レンズＬ３と第４レンズＬ４と第５レンズＬ５との合成焦点距離である。
【０２０３】
基本レンズデータでは、非球面の面番号に＊印を付しており、非球面の曲率半径として近軸曲率半径（中心の曲率半径）の数値を示している。非球面データには、非球面の面番号と、各非球面に関する非球面係数を示す。非球面データの数値の「Ｅ−ｎ」（ｎ：整数）は「×１０-n」を意味し、「Ｅ＋ｎ」は「×１０n」を意味する。なお、非球面係数は、以下の式で表される非球面式における各係数Ｋ、ＲＢｍ（ｍ＝３、４、５、…１１）の値である。
【０２０４】
Ｚｄ＝Ｃ・ｈ２／｛１＋（１−Ｋ・Ｃ２・ｈ２）１/２｝＋ΣＲＢｍ・ｈｍ
ただし、
Ｚｄ：非球面深さ（高さｈの非球面上の点から、非球面頂点が接する光軸に垂直な平面に下ろした垂線の長さ）
ｈ：高さ（光軸からのレンズ面までの距離）
Ｃ：近軸曲率半径の逆数
Ｋ、ＲＢｍ：非球面係数（ｍ＝３、４、５、…１１）
以下に示す各表では、角度の単位には度を用い、長さの単位にはｍｍを用いているが、光学系は比例拡大または比例縮小しても使用可能なため他の適当な単位を用いることも可能である。また、以下に示す各表では所定の桁でまるめた数値を記載している。
【０２０５】
【表１】
2016062021.tif 000003
図２９に実施例１の撮像レンズの球面収差図、非点収差図、歪曲収差（ディストーション）図および倍率色収差（倍率の色収差）図を紙面左から順に示す。球面収差図のＦはＦ値を意味し、その他の収差図のωは半画角を意味する。ディストーションの図は、全系の焦点距離ｆ、画角φ（変数扱い、０≦φ≦ω）を用いて、理想像高をｆ×ｔａｎ（φ）とし、それからのズレ量を示す。各収差図には、ｄ線（５８７．５６ｎｍ）を基準波長とした収差を示すが、球面収差図には、Ｆ線（波長４８６．１３ｎｍ）、Ｃ線（波長６５６．２７ｎｍ）、ｓ線（波長８５２．１１ｎｍ）および正弦条件違反量（ＳＮＣと表記）についての収差も示し、倍率色収差図にはＦ線、Ｃ線およびｓ線についての収差を示す。倍率色収差図の線種は球面収差図のものと同じであるため、その表記を省略している。
【０２０６】
上記の実施例１のデータに関する図示方法、各表中の記号、意味、記載方法は、特に断りがない限り以下の実施例のものについても同様である。
［実施例２］
実施例２の撮像レンズのレンズ断面図を図４に示す。表２に実施例２の撮像レンズの基本レンズデータ、各種データおよび非球面データを示す。図３０に実施例２の撮像レンズの球面収差図、非点収差図、ディストーションおよび倍率色収差図を紙面左から順に示す。
【０２０７】
【表２】
2016062021.tif 000004
［実施例３］
実施例３の撮像レンズのレンズ断面図を図５に示す。表３に実施例３の撮像レンズの基本レンズデータ、各種データおよび非球面データを示す。図３１に実施例３の撮像レンズの球面収差図、非点収差図、ディストーションおよび倍率色収差図を紙面左から順に示す。
【０２０８】
【表３】
2016062021.tif 000005
［実施例４］
実施例４の撮像レンズのレンズ断面図を図６に示す。表４に実施例４の撮像レンズの基本レンズデータ、各種データおよび非球面データを示す。図３２に実施例４の撮像レンズの球面収差図、非点収差図、ディストーションおよび倍率色収差図を紙面左から順に示す。
【０２０９】
【表４】
2016062021.tif 000006
［実施例５］
実施例５の撮像レンズのレンズ断面図を図７に示す。表５に実施例５の撮像レンズの基本レンズデータ、各種データおよび非球面データを示す。図３３に実施例５の撮像レンズの球面収差図、非点収差図、ディストーションおよび倍率色収差図を紙面左から順に示す。
【０２１０】
【表５】
2016062021.tif 000007
［実施例６］
実施例６の撮像レンズのレンズ断面図を図８に示す。表６に実施例６の撮像レンズの基本レンズデータ、各種データおよび非球面データを示す。図３４に実施例６の撮像レンズの球面収差図、非点収差図、ディストーションおよび倍率色収差図を紙面左から順に示す。
【０２１１】
【表６】
2016062021.tif 000008
［実施例７］
実施例７の撮像レンズのレンズ断面図を図９に示す。表７に実施例７の撮像レンズの基本レンズデータ、各種データおよび非球面データを示す。図３５に実施例７の撮像レンズの球面収差図、非点収差図、ディストーションおよび倍率色収差図を紙面左から順に示す。
【０２１２】
【表７】
2016062021.tif 000009
［実施例８］
実施例８の撮像レンズのレンズ断面図を図１０に示す。表８に実施例８の撮像レンズの基本レンズデータ、各種データおよび非球面データを示す。図３６に実施例８の撮像レンズの球面収差図、非点収差図、ディストーションおよび倍率色収差図を紙面左から順に示す。
【０２１３】
【表８】
2016062021.tif 000010
［実施例９］
実施例９の撮像レンズのレンズ断面図を図１１に示す。表９に実施例９の撮像レンズの基本レンズデータ、各種データおよび非球面データを示す。図３７に実施例９の撮像レンズの球面収差図、非点収差図、ディストーションおよび倍率色収差図を紙面左から順に示す。
【０２１４】
【表９】
2016062021.tif 000011
［実施例１０］
実施例１０の撮像レンズのレンズ断面図を図１２に示す。表１０に実施例１０の撮像レンズの基本レンズデータ、各種データおよび非球面データを示す。図３８に実施例１０の撮像レンズの球面収差図、非点収差図、ディストーションおよび倍率色収差図を紙面左から順に示す。
【０２１５】
【表１０】
2016062021.tif 000012
［実施例１１］
実施例１１の撮像レンズのレンズ断面図を図１３に示す。表１１に実施例１１の撮像レンズの基本レンズデータ、各種データおよび非球面データを示す。図３９に実施例１１の撮像レンズの球面収差図、非点収差図、ディストーションおよび倍率色収差図を紙面左から順に示す。
【０２１６】
【表１１】
2016062021.tif 000013
［実施例１２］
実施例１２の撮像レンズのレンズ断面図を図１４に示す。表１２に実施例１２の撮像レンズの基本レンズデータ、各種データおよび非球面データを示す。図４０に実施例１２の撮像レンズの球面収差図、非点収差図、ディストーションおよび倍率色収差図を紙面左から順に示す。
【０２１７】
【表１２】
2016062021.tif 000014
［実施例１３］
実施例１３の撮像レンズのレンズ断面図を図１５に示す。表１３に実施例１３の撮像レンズの基本レンズデータ、各種データおよび非球面データを示す。図４１に実施例１３の撮像レンズの球面収差図、非点収差図、ディストーションおよび倍率色収差図を紙面左から順に示す。
【０２１８】
【表１３】
2016062021.tif 000015
［実施例１４］
実施例１４の撮像レンズのレンズ断面図を図１６に示す。表１４に実施例１４の撮像レンズの基本レンズデータ、各種データおよび非球面データを示す。図４２に実施例１４の撮像レンズの球面収差図、非点収差図、ディストーションおよび倍率色収差図を紙面左から順に示す。
【０２１９】
【表１４】
2016062021.tif 000016
［実施例１５］
実施例１５の撮像レンズのレンズ断面図を図１７に示す。表１５に実施例１５の撮像レンズの基本レンズデータ、各種データおよび非球面データを示す。図４３に実施例１５の撮像レンズの球面収差図、非点収差図、ディストーションおよび倍率色収差図を紙面左から順に示す。
【０２２０】
【表１５】
2016062021.tif 000017
［実施例１６］
実施例１６の撮像レンズのレンズ断面図を図１８に示す。表１６に実施例１６の撮像レンズの基本レンズデータ、各種データおよび非球面データを示す。図４４に実施例１６の撮像レンズの球面収差図、非点収差図、ディストーションおよび倍率色収差図を紙面左から順に示す。
【０２２１】
【表１６】
2016062021.tif 000018
［実施例１７］
実施例１７の撮像レンズのレンズ断面図を図１９に示す。表１７に実施例１７の撮像レンズの基本レンズデータ、各種データおよび非球面データを示す。図４５に実施例１７の撮像レンズの球面収差図、非点収差図、ディストーションおよび倍率色収差図を紙面左から順に示す。
【０２２２】
【表１７】
2016062021.tif 000019
［実施例１８］
実施例１８の撮像レンズのレンズ断面図を図２０に示す。表１８に実施例１８の撮像レンズの基本レンズデータ、各種データおよび非球面データを示す。図４６に実施例１８の撮像レンズの球面収差図、非点収差図、ディストーションおよび倍率色収差図を紙面左から順に示す。
【０２２３】
【表１８】
2016062021.tif 000020
［実施例１９］
実施例１９の撮像レンズのレンズ断面図を図２１に示す。表１９に実施例１９の撮像レンズの基本レンズデータ、各種データおよび非球面データを示す。図４７に実施例１９の撮像レンズの球面収差図、非点収差図、ディストーションおよび倍率色収差図を紙面左から順に示す。
【０２２４】
【表１９】
2016062021.tif 000021
［実施例２０］
実施例２０の撮像レンズのレンズ断面図を図２２に示す。表２０に実施例２０の撮像レンズの基本レンズデータ、各種データおよび非球面データを示す。図４８に実施例２０の撮像レンズの球面収差図、非点収差図、ディストーションおよび倍率色収差図を紙面左から順に示す。
【０２２５】
【表２０】
2016062021.tif 000022
［実施例２１］
実施例２１の撮像レンズのレンズ断面図を図２３に示す。表２１に実施例２１の撮像レンズの基本レンズデータ、各種データおよび非球面データを示す。図４９に実施例２１の撮像レンズの球面収差図、非点収差図、ディストーションおよび倍率色収差図を紙面左から順に示す。
【０２２６】
【表２１】
2016062021.tif 000023
［実施例２２］
実施例２２の撮像レンズのレンズ断面図を図２４に示す。表２２に実施例２２の撮像レンズの基本レンズデータ、各種データおよび非球面データを示す。図５０に実施例２２の撮像レンズの球面収差図、非点収差図、ディストーションおよび倍率色収差図を紙面左から順に示す。
【０２２７】
【表２２】
2016062021.tif 000024
［実施例２３］
実施例２３の撮像レンズのレンズ断面図を図２５に示す。表２３に実施例２３の撮像レンズの基本レンズデータ、各種データおよび非球面データを示す。図５１に実施例２３の撮像レンズの球面収差図、非点収差図、ディストーションおよび倍率色収差図を紙面左から順に示す。
【０２２８】
【表２３】
2016062021.tif 000025
［実施例２４］
実施例２４の撮像レンズのレンズ断面図を図２６に示す。表２４に実施例２４の撮像レンズの基本レンズデータ、各種データおよび非球面データを示す。図５２に実施例２４の撮像レンズの球面収差図、非点収差図、ディストーションおよび倍率色収差図を紙面左から順に示す。
【０２２９】
【表２４】
2016062021.tif 000026
［実施例２５］
実施例２５の撮像レンズのレンズ断面図を図２７に示す。表２５に実施例２５の撮像レンズの基本レンズデータ、各種データおよび非球面データを示す。図５３に実施例２５の撮像レンズの球面収差図、非点収差図、ディストーションおよび倍率色収差図を紙面左から順に示す。
【０２３０】
【表２５】
2016062021.tif 000027
［実施例２６］
実施例２６の撮像レンズのレンズ断面図を図２８に示す。表２６に実施例２６の撮像レンズの基本レンズデータ、各種データおよび非球面データを示す。図５４に実施例２６の撮像レンズの球面収差図、非点収差図、ディストーションおよび倍率色収差図を紙面左から順に示す。
【０２３１】
【表２６】
2016062021.tif 000028
上記実施例１〜２６のうち、実施例１〜１２の撮像レンズにおいて、全てのレンズの材質はガラスとなっている。実施例１３〜２５において、第１レンズＬ１、第２レンズＬ２および第６レンズＬ６がガラスとなっており、第３レンズＬ３、第４レンズＬ４，第５レンズＬ５および第７レンズＬ７はプラスチックとなっている。実施例２６において、第１レンズＬ１、第３レンズＬ３および第６レンズＬ６がガラスとなっており、第２レンズＬ２、第４レンズＬ４，第５レンズＬ５および第７レンズＬ７はプラスチックとなっている。
【０２３２】
表２７および表２８に上記実施例１〜２６の撮像レンズの条件式（１）〜（２３）に対応する値を一括して示す。表２７，２８に示す値はｄ線に関するものである。
【０２３３】
【表２７】
2016062021.tif 000029
【０２３４】
【表２８】
2016062021.tif 000030
以上のデータから分かるように、実施例１〜２６の撮像レンズは、７枚というレンズ枚数で構成され、小型に作製可能である上、Ｆ値が１．５〜１．６と小さく、各収差が良好に補正されて良好な光学性能を有する。これらの撮像レンズは、監視カメラや、自動車の前方、側方および後方等の映像を撮影するための車載用カメラ等に好適に使用可能である。
〔撮像装置の実施形態〕
図５５に使用例として、自動車１００に本実施形態の撮像レンズを備えた撮像装置を搭載した様子を示す。図５５において、自動車１００は、その助手席側の側面の死角範囲を撮像するための車外カメラ１０１と、自動車１００の後側の死角範囲を撮像するための車外カメラ１０２と、ルームミラーの背面に取り付けられ、ドライバーと同じ視野範囲を撮影するための車内カメラ１０３とを備えている。車外カメラ１０１と車外カメラ１０２と車内カメラ１０３とは、本発明の実施形態に係る撮像装置であり、本発明の実施例の撮像レンズと、この撮像レンズにより形成される光学像を電気信号に変換する撮像素子とを備えている。
【０２３５】
本発明の実施例に係る撮像レンズは、上述した長所を有するものであるから、車外カメラ１０１、１０２および車内カメラ１０３も小型に構成でき、結像領域周辺部まで良好な映像を得ることができる。
【０２３６】
以上、実施形態および実施例を挙げて本発明を説明したが、本発明は上記実施形態および実施例に限定されず、種々の変形が可能である。例えば、各レンズ成分の曲率半径、面間隔、屈折率およびアッベ数の値は、上記各数値実施例で示した値に限定されず、他の値をとり得るものである。
【０２３７】
なお、上記した実施例ではすべてのレンズを均質な材料により構成しているが、屈折率分布型のレンズを用いてもよい。また、上記した実施例では第２レンズＬ２〜第７レンズＬ７を非球面が施された屈折型レンズにより構成しているものがあるが、１つの面もしくは複数の面に回折光学素子を形成してもよい。
【０２３８】
また、撮像装置の実施形態では、本発明を車載用カメラに適用した例について図を示して説明したが、本発明はこの用途に限定されるものではなく、例えば、携帯端末用カメラや監視カメラ等にも適用可能である。
【符号の説明】
【０２３９】
１    撮像レンズ
２    軸上光束
３，４    軸外光束
５    撮像素子
１００    自動車
１０１，１０２    車外カメラ
１０３    車内カメラ
Ｐｉｍ    結像位置
Ｌ１    第１レンズ
Ｌ２    第２レンズ
Ｌ３    第３レンズ
Ｌ４    第４レンズ
Ｌ５    第５レンズ
Ｌ６    第６レンズ
Ｌ７    第７レンズ
ＰＰ    光学部材
Ｓｉｍ    像面
Ｓｔ    開口絞り
Ｚ    光軸
【図１】
2016062021.tif 000031
【図２】
2016062021.tif 000032
【図３】
2016062021.tif 000033
【図４】
2016062021.tif 000034
【図５】
2016062021.tif 000035
【図６】
2016062021.tif 000036
【図７】
2016062021.tif 000037
【図８】
2016062021.tif 000038
【図９】
2016062021.tif 000039
【図１０】
2016062021.tif 000040
【図１１】
2016062021.tif 000041
【図１２】
2016062021.tif 000042
【図１３】
2016062021.tif 000043
【図１４】
2016062021.tif 000044
【図１５】
2016062021.tif 000045
【図１６】
2016062021.tif 000046
【図１７】
2016062021.tif 000047
【図１８】
2016062021.tif 000048
【図１９】
2016062021.tif 000049
【図２０】
2016062021.tif 000050
【図２１】
2016062021.tif 000051
【図２２】
2016062021.tif 000052
【図２３】
2016062021.tif 000053
【図２４】
2016062021.tif 000054
【図２５】
2016062021.tif 000055
【図２６】
2016062021.tif 000056
【図２７】
2016062021.tif 000057
【図２８】
2016062021.tif 000058
【図２９】
2016062021.tif 000059
【図３０】
2016062021.tif 000060
【図３１】
2016062021.tif 000061
【図３２】
2016062021.tif 000062
【図３３】
2016062021.tif 000063
【図３４】
2016062021.tif 000064
【図３５】
2016062021.tif 000065
【図３６】
2016062021.tif 000066
【図３７】
2016062021.tif 000067
【図３８】
2016062021.tif 000068
【図３９】
2016062021.tif 000069
【図４０】
2016062021.tif 000070
【図４１】
2016062021.tif 000071
【図４２】
2016062021.tif 000072
【図４３】
2016062021.tif 000073
【図４４】
2016062021.tif 000074
【図４５】
2016062021.tif 000075
【図４６】
2016062021.tif 000076
【図４７】
2016062021.tif 000077
【図４８】
2016062021.tif 000078
【図４９】
2016062021.tif 000079
【図５０】
2016062021.tif 000080
【図５１】
2016062021.tif 000081
【図５２】
2016062021.tif 000082
【図５３】
2016062021.tif 000083
【図５４】
2016062021.tif 000084
【図５５】
2016062021.tif 000085